(57)【要約】【課題】天井に敷設された走行レールを移動する透視装置の走行器の直下に清浄かつ適切な温度の温調空気を給気することができる手術室の空調システムを提供する。【解決手段】空調システム５０Ａは、天井から手術台を含むその近傍に空気を給気する第１〜第８給気ユニット６５Ａ〜６５Ｈと、給気が停止した給気ユニットの空気を手術室内に給気するバイパスユニット６６Ａ，６６Ｂと、それらユニットに空気を供給する空調装置６７Ａ〜６７Ｄと、それら給気ユニットに設置された近接センサ６８Ａ〜６８Ｈと、コントローラ６９とから形成されている。コントローラは、近接センサからの近接信号によってそれら給気ユニットのうちの走行器が近接した給気ユニットからの空気の給気を停止し、近接センサからの離間信号によってそれら給気ユニットのうちの走行器が離間した給気ユニットからの空気の給気を開始する。【選択図】図６
2018057929.tif 000002
【特許請求の範囲】
【請求項１】
手術台に横臥した患者を透視する懸垂型の透視装置を備えた手術室の空調システムにおいて、
前記透視装置が、前記手術室の天井に敷設されて前後方向へ延びる走行レールと、前記走行レールに取り付けられて前後方向へ往復移動する走行器と、前記走行器に垂下されて該走行器の往復移動にともなって移動する天井走行アームとを有し、
前記空調システムが、前記手術室の天井に設置されて前記走行レールに沿って前後方向へ並び、前記天井から前記手術台を含むその近傍に空気を給気する複数台の第１〜第ｎ給気ユニットと、前記第１〜第ｎ給気ユニットのうちのいずれかの給気ユニットからの空気の給気が停止したときに、給気が停止した給気ユニットの空気を前記手術室内に給気するバイパスユニットと、それらユニットに空気を供給する空調装置と、前記第１〜第ｎ給気ユニットに設置されて前後方向へ並ぶ複数の近接センサと、前記空気の給気開始と給気停止とを制御するコントローラとから形成され、
前記コントローラが、それら近接センサからの近接信号によって前記第１〜第ｎ給気ユニットのうちの前記走行器が近接した給気ユニットからの空気の給気を停止する給気第１停止手段と、それら近接センサからの離間信号によって前記第１〜第ｎ給気ユニットのうちの前記走行器が離間した給気ユニットからの空気の給気を開始する給気第１開始手段とを有することを特徴とする手術室の空調システム。
【請求項２】
前記近接センサが、それら第１〜第ｎ給気ユニットの各給気ユニット毎の前端を含むその近傍に設置された前設置近接センサと、それら第１〜第ｎ給気ユニットの各給気ユニット毎の後端を含むその近傍に設置された後設置近接センサとから形成され、前記コントローラが、前記前設置近接センサと前記後設置近接センサとのうちの少なくとも一方からの近接信号によって前記走行器の給気ユニットへの近接を認識し、前記前設置近接センサと前記後設置近接センサとの双方からの離間信号によって前記走行器の給気ユニットからの離間を認識する請求項１に記載の手術室の空調システム。
【請求項３】
前記コントローラが、前記給気第１停止手段によってそれら第１〜第ｎ給気ユニットのうちの少なくとも１台の給気ユニットからの空気の給気を停止させた場合、前記バイパスユニットからの空気の給気を開始する給気第２開始止手段と、前記給気第１開始手段によってそれら第１〜第ｎ給気ユニットのすべてからの空気の給気が開始された場合、前記バイパスユニットからの空気の給気を停止する給気第２停止手段とを含む請求項１または請求項２に記載の手術室の空調システム。
【請求項４】
前記走行レールが、前記手術室の天井において横方向へ離間対向し、前記第１〜第ｎ給気ユニットが、それら走行レールの間に配置されて前後方向へ並び、前記バイパスユニットが、前記走行レールの外側近傍の天井に配置されて該天井から前記手術室に向かって空気を給気する請求項１ないし請求項３いずれかに記載の手術室の空調システム。
【請求項５】
前記空調装置への還気の取入口が、前記手術室内の床近傍に位置している請求項１ないし請求項４いずれかに記載の手術室の空調システム。
【請求項６】
前記第１〜第ｎ給気ユニットおよび前記バイパスユニットが、頂板と、前後側板および左右側板と、それら板に囲繞されたスペースと、それら側板の下端縁に囲繞された開口と、それら側板のいずれかに作られて給気ダクトを接続するダクト接続部と、前記ダクト接続部に連結されて前記スペースに収容され、前記前後側板の間において前後方向へ延びる断面形状が四角形のチャンバーと、前記チャンバーの側面開口に取り付けられて前記給気ダクトから給気された空気を前記頂板に向かって流動させ、該給気ダクトから給気された空気による風切り音を低減させる消音ディフューザーと、前記チャンバーの直下であって前記スペースに設置されたＨＥＰＡフィルタと、前記ＨＥＰＡフィルタと前記開口との間であって前記側板近傍の前記スペースに設置された照明器具と、前記照明器具の下方であって前記開口近傍の前記スペースに設置されたスクリーンメッシュとを有し、前記スクリーンメッシュが、前記開口近傍の前記スペースに配置されて網目が一方向へ延びる第１スクリーンメッシュと、前記開口近傍の前記スペースに配置されて前記第１スクリーンメッシュの下面に重なり、前記網目が前記一方向と交差する交差方向へ延びる第２スクリーンメッシュと、前記開口近傍の前記スペースに配置されて前記第２スクリーンメッシュの下面に重なり、前記網目が前記一方向へ延びる第３スクリーンメッシュと、前記開口近傍の前記スペースに配置されて前記第３スクリーンメッシュの下面に重なり、前記網目が前記交差方向へ延びる第４スクリーンメッシュとのうちの、少なくとも前記第１および第２スクリーンメッシュから形成され、前記第１〜第４スクリーンメッシュのうちの少なくとも前記第１および第２スクリーンメッシュによって、前記照明器具から照射された人工光が前記開口全域から均一の照度で照射されるとともに前記給気ダクトから給気された空気の流れが整流されて垂直層流が作られる請求項１ないし請求項５いずれかに記載の手術室の空調システム。
【請求項７】
前記第１スクリーンメッシュが、前記開口近傍のスペースに緊張状態で取り付けられ、前記前後側板および前記左右側板に水平に固定され、前記第２スクリーンメッシュが、前記開口近傍のスペースに緊張状態で取り付けられ、前記前後側板および前記左右側板に水平に固定されている請求項６に記載の手術室の空調システム。
【請求項８】
前記第１〜第ｎ給気ユニットおよび前記バイパスユニットが、消音機能および結露防止機能を有して前記ＨＥＰＡフィルタの下方に延びる前記前後側板の内面と前記左右側板の内面とに貼付された発泡材シートを含む請求項６または請求項７に記載の手術室の空調システム。
【請求項９】
手術台に横臥した患者を透視する懸垂型の透視装置を備えた手術室の空調方法において、
前記透視装置が、前記手術室の天井に敷設されて前後方向へ延びる走行レールと、前記走行レールに取り付けられて前後方向へ往復移動する走行器と、前記走行器に垂下されて該走行器の往復移動にともなって移動する天井走行アームとを有し、
前記空調方法が、前記手術室の天井に設置されて前記走行レールに沿って前後方向へ並び、前記天井から前記手術台を含むその近傍に空気を給気する複数台の第１〜第ｎ給気ユニットと、前記第１〜第ｎ給気ユニットのうちのいずれかのユニットからの空気の給気が停止したときに、給気が停止したユニットの空気を前記手術室内に給気するバイパスユニットと、空気の取入口が前記手術室内の床近傍に位置してそれらユニットに空気を供給する空調装置と、前記第１〜第ｎ給気ユニットに設置されて前後方向へ並ぶ複数の近接センサと、それら近接センサからの近接信号によって前記第１〜第ｎ給気ユニットのうちの前記走行器が近接した給気ユニットからの空気の給気を停止する給気第１停止工程と、それら近接センサからの離間信号によって前記第１〜第ｎ給気ユニットのうちの前記走行器が離間した給気ユニットからの空気の給気を開始する給気第１開始工程とを有することを特徴とする手術室の空調方法。
【請求項１０】
前記空調方法では、前記近接センサがそれら第１〜第ｎ給気ユニットの各給気ユニット毎の前端を含むその近傍に設置された前設置近接センサおよび後端を含むその近傍に設置された後設置近接センサから形成され、前記前設置近接センサと前記後設置近接センサとのうちの少なくとも一方からの近接信号によって前記走行器の給気ユニットへの近接を認識し、前記前設置近接センサと前記後設置近接センサとの双方からの離間信号によって前記走行器の給気ユニットからの離間を認識する請求項９に記載の手術室の空調方法。
【請求項１１】
前記空調方法が、前記給気第１停止工程によってそれら第１〜第ｎ給気ユニットのうちの少なくとも１台の給気ユニットからの空気の給気を停止させた場合、前記バイパスユニットからの空気の給気を開始する給気第２開始止工程と、前記給気第１開始工程によってそれら第１〜第ｎ給気ユニットすべてからの空気の給気が開始された場合、前記バイパスユニットからの空気の給気を停止する給気第２停止工程とを含む請求項９または請求項１０に記載の手術室の空調方法。
【請求項１２】
前記第１〜第ｎ給気ユニットおよび前記バイパスユニットが、頂板と、前後側板および左右側板と、それら板に囲繞されたスペースと、それら側板の下端縁に囲繞された開口と、それら側板のいずれかに作られて給気ダクトを接続するダクト接続部と、前記ダクト接続部に連結されて前記スペースに収容され、前記前後側板の間において前後方向へ延びる断面形状が四角形のチャンバーと、前記チャンバーの側面開口に取り付けられて前記給気ダクトから給気された空気を前記頂板に向かって流動させ、該給気ダクトから給気された空気による風切り音を低減させる消音ディフューザーと、前記チャンバーの直下であって前記スペースに設置されたＨＥＰＡフィルタと、前記ＨＥＰＡフィルタと前記開口との間であって前記側板近傍の前記スペースに設置された照明器具と、前記照明器具の下方であって前記開口近傍の前記スペースに設置されたスクリーンメッシュとを有し、前記スクリーンメッシュが、前記開口近傍の前記スペースに配置されて網目が一方向へ延びる第１スクリーンメッシュと、前記開口近傍の前記スペースに配置されて前記第１スクリーンメッシュの下面に重なり、前記網目が前記一方向と交差する交差方向へ延びる第２スクリーンメッシュと、前記開口近傍の前記スペースに配置されて前記第２スクリーンメッシュの下面に重なり、前記網目が前記一方向へ延びる第３スクリーンメッシュと、前記開口近傍の前記スペースに配置されて前記第３スクリーンメッシュの下面に重なり、前記網目が前記交差方向へ延びる第４スクリーンメッシュとのうちの、少なくとも前記第１および第２スクリーンメッシュから形成され、前記第１〜第４スクリーンメッシュのうちの少なくとも前記第１および第２スクリーンメッシュによって、前記照明器具から照射された人工光が前記開口全域から均一の照度で照射されるとともに前記給気ダクトから給気された空気の流れが整流されて垂直層流が作られる請求項９ないし請求項１１いずれかに記載の手術室の空調方法。
【請求項１３】
前記第１スクリーンメッシュが、前記開口近傍のスペースに緊張状態で取り付けられ、前記前後側板および前記左右側板に水平に固定され、前記第２スクリーンメッシュが、前記開口近傍のスペースに緊張状態で取り付けられ、前記前後側板および前記左右側板に水平に固定されている請求項１２に記載の手術室の空調方法。
【請求項１４】
前記第１〜第ｎ給気ユニットおよび前記バイパスユニットが、消音機能および結露防止機能を有して前記ＨＥＰＡフィルタの下方に延びる前記前後側板の内面と前記左右側板の内面とに貼付された発泡材シートを含む請求項１２または請求項１３に記載の手術室の空調方法。
【発明の詳細な説明】
【技術分野】
【０００１】
本発明は、患者を透視する懸垂型の透視装置を備えた手術室の空調システムおよび空調方法に関する。
【背景技術】
【０００２】
近年、天井に懸垂型の心・脳血管Ｘ線撮影装置を走行可能に設置し、高画質の透視・３Ｄ撮影を行いながら手術をする手術室が利用されている。手術室は、カテーテル治療のように放射線透視と外科的手術による治療法とを同時に行うことができるが、その手術室にはクリーンルームと略同等の清浄度と手術室に適した室温とが要求される。なお、懸垂型の心・脳血管Ｘ線撮影装置の一例としては、手術室の天井に敷設された一対の走行レールと、走行レールに取り付けられて前後方向へ往復移動する走行器と、走行器に垂下されて走行器の往復移動にともなって移動する天井走行アームとを有する方式のものが使用されている。手術室の清浄度および室温を保持するための一例として、手術室の天井面にＨＥＰＡフィルタを取り付けた吹出口を設置し、ＨＥＰＡフィルタで浄化した空気を手術室に給気する吹出し風速調整装置が開示されている（特許文献１参照）。
【先行技術文献】
【特許文献】
【０００３】
【特許文献１】特開平１１−２１８３５３号公報
【発明の概要】
【発明が解決しようとする課題】
【０００４】
懸垂型の心・脳血管Ｘ線撮影装置を設置した手術室において、ＨＥＰＡフィルタによって浄化された空気を天井から手術室に向かって給気する場合、清浄な空気が手術台を含むその近傍全域に給気されることが好ましい。手術台を含むその近傍全域に浄化された空気を給気するには、手術台の直上の天井に広範囲に空調用の吹出口を設置する必要がある。しかし、吹出口が邪魔になって手術台およびその近傍を照らす天井照明器具を設置することができず、照明が手術台上の無影灯のみとなり、手術台の周囲で医療行為を行う人の作業に支障がないように手術台やその近傍を明るくすることができない。また、天井に敷設された走行レールを往復移動する心・脳血管Ｘ線撮影装置の走行器が吹出口を塞ぎ、走行器が空気の給気を遮断するとともに、吹出気流を乱すから、手術台およびその近傍全域に清浄かつ所望の温度の空気を継続して給気することができない。
【０００５】
本発明の目的は、透視装置の走行器が天井に敷設された走行レールを往復移動したとしても、その走行器の移動経路の直下に清浄かつ適切な温度の温調空気を給気することができ、手術台およびその近傍全域に清浄かつ適切な温度の温調空気を継続して給気することができる手術室の空調システムおよび空調方法を提供することにある。本発明の他の目的は、清浄かつ適切な温度の空気を手術台を含むその近傍全域に継続して給気することができるとともに、手術台やその近傍の照明を明るくすることができる給気ユニットを備えた手術室の空調システムおよび空調方法を提供することにある。
【課題を解決するための手段】
【０００６】
前記課題を解決するための本発明の第１の前提は、手術台に横臥した患者を透視する懸垂型の透視装置を備えた手術室の空調システムである。
【０００７】
前記第１の前提における本発明の手術室の空調システムの特徴は、透視装置が、手術室の天井に敷設されて前後方向へ延びる走行レールと、走行レールに取り付けられて前後方向へ往復移動する走行器と、走行器に垂下されて走行器の往復移動にともなって移動する天井走行アームとを有し、空調システムが、手術室の天井に設置されて走行レールに沿って前後方向へ並び、天井から手術台を含むその近傍に空気を給気する複数台の第１〜第ｎ給気ユニットと、第１〜第ｎ給気ユニットのうちのいずれかの給気ユニットからの空気の給気が停止したときに、給気が停止した給気ユニットの空気を手術室内に給気するバイパスユニットと、それらユニットに空気を供給する空調装置と、第１〜第ｎ給気ユニットに設置されて前後方向へ並ぶ複数の近接センサと、空気の給気開始と給気停止とを制御するコントローラとから形成され、コントローラが、それら近接センサからの近接信号によって第１〜第ｎ給気ユニットのうちの走行器が近接した給気ユニットからの空気の給気を停止する給気第１停止手段と、それら近接センサからの離間信号によって第１〜第ｎ給気ユニットのうちの走行器が離間した給気ユニットからの空気の給気を開始する給気第１開始手段とを有することにある。
【０００８】
本発明に係る空調システムの一例としては、近接センサが、それら第１〜第ｎ給気ユニットの各給気ユニット毎の前端を含むその近傍に設置された前設置近接センサと、それら第１〜第ｎ給気ユニットの各給気ユニット毎の後端を含むその近傍に設置された後設置近接センサとから形成され、コントローラが、前設置近接センサと後設置近接センサとのうちの少なくとも一方からの近接信号によって走行器の給気ユニットへの近接を認識し、前設置近接センサと後設置近接センサとの双方からの離間信号によって走行器の給気ユニットからの離間を認識する。
【０００９】
本発明に係る空調システムの他の一例としては、コントローラが、給気第１停止手段によってそれら第１〜第ｎ給気ユニットのうちの少なくとも１台の給気ユニットからの空気の給気を停止させた場合、バイパスユニットからの空気の給気を開始する給気第２開始止手段と、給気第１開始手段によってそれら第１〜第ｎ給気ユニットのすべてからの空気の給気が開始された場合、バイパスユニットからの空気の給気を停止する給気第２停止手段とを含む。
【００１０】
本発明に係る空調システムの他の一例としては、走行レールが、手術室の天井において横方向へ離間対向し、第１〜第ｎ給気ユニットが、それら走行レールの間に配置されて前後方向へ並び、バイパスユニットが、走行レールの外側近傍の天井に配置されて天井から手術室に向かって空気を給気する。
【００１１】
本発明に係る空調システムの他の一例としては、空調装置への還気の取入口が、手術室内の床近傍に位置している。
【００１２】
本発明に係る空調システムの他の一例としては、第１〜第ｎ給気ユニットおよびバイパスユニットが、頂板と、前後側板および左右側板と、それら板に囲繞されたスペースと、それら側板の下端縁に囲繞された開口と、それら側板のいずれかに作られて給気ダクトを接続するダクト接続部と、ダクト接続部に連結されてスペースに収容され、前後側板の間において前後方向へ延びる断面形状が四角形のチャンバーと、チャンバーの側面開口に取り付けられて給気ダクトから給気された空気を頂板に向かって流動させ、給気ダクトから給気された空気による風切り音を低減させる消音ディフューザーと、チャンバーの直下であってスペースに設置されたＨＥＰＡフィルタと、ＨＥＰＡフィルタと開口との間であって側板近傍のスペースに設置された照明器具と、照明器具の下方であって開口近傍のスペースに設置されたスクリーンメッシュとを有し、スクリーンメッシュが、開口近傍のスペースに配置されて網目が一方向へ延びる第１スクリーンメッシュと、開口近傍のスペースに配置されて第１スクリーンメッシュの下面に重なり、網目が一方向と交差する交差方向へ延びる第２スクリーンメッシュと、開口近傍のスペースに配置されて第２スクリーンメッシュの下面に重なり、網目が一方向へ延びる第３スクリーンメッシュと、開口近傍のスペースに配置されて第３スクリーンメッシュの下面に重なり、網目が交差方向へ延びる第４スクリーンメッシュとのうちの、少なくとも第１および第２スクリーンメッシュから形成され、第１〜第４スクリーンメッシュのうちの少なくとも第１および第２スクリーンメッシュによって、照明器具から照射された人工光が開口全域から均一の照度で照射されるとともに給気ダクトから給気された空気の流れが整流されて垂直層流が作られる。
【００１３】
本発明に係る空調システムの他の一例としては、第１スクリーンメッシュが、開口近傍のスペースに緊張状態で取り付けられ、前後側板および左右側板に水平に固定され、第２スクリーンメッシュが、開口近傍のスペースに緊張状態で取り付けられ、前後側板および左右側板に水平に固定されている。
【００１４】
本発明に係る空調システムの他の一例としては、第１〜第ｎ給気ユニットおよびバイパスユニットが、消音機能および結露防止機能を有してＨＥＰＡフィルタの下方に延びる前後側板の内面と左右側板の内面とに貼付された発泡材シートを含む。
【００１５】
前記課題を解決するための本発明の第２の前提は、手術台に横臥した患者を透視する懸垂型の透視装置を備えた手術室の空調方法である。
【００１６】
前記第２の前提における本発明の空調方法の特徴は、透視装置が、手術室の天井に敷設されて前後方向へ延びる走行レールと、走行レールに取り付けられて前後方向へ往復移動する走行器と、走行器に垂下されて走行器の往復移動にともなって移動する天井走行アームとを有し、空調方法が、手術室の天井に設置されて走行レールに沿って前後方向へ並び、天井から手術台を含むその近傍に空気を給気する複数台の第１〜第ｎ給気ユニットと、第１〜第ｎ給気ユニットのうちのいずれかのユニットからの空気の給気が停止したときに、給気が停止したユニットの空気を手術室内に給気するバイパスユニットと、空気の取入口が手術室内の床近傍に位置してそれらユニットに空気を供給する空調装置と、第１〜第ｎ給気ユニットに設置されて前後方向へ並ぶ複数の近接センサと、それら近接センサからの近接信号によって第１〜第ｎ給気ユニットのうちの走行器が近接した給気ユニットからの空気の給気を停止する給気第１停止工程と、それら近接センサからの離間信号によって第１〜第ｎ給気ユニットのうちの走行器が離間した給気ユニットからの空気の給気を開始する給気第１開始工程とを有することにある。
【００１７】
本発明に係る空調方法の一例として、空調方法では、近接センサがそれら第１〜第ｎ給気ユニットの各給気ユニット毎の前端を含むその近傍に設置された前設置近接センサおよび後端を含むその近傍に設置された後設置近接センサから形成され、前設置近接センサと後設置近接センサとのうちの少なくとも一方からの近接信号によって走行器の給気ユニットへの近接を認識し、前設置近接センサと後設置近接センサとの双方からの離間信号によって走行器の給気ユニットからの離間を認識する。
【００１８】
本発明に係る空調方法の他の一例としては、空調方法が、給気第１停止工程によってそれら第１〜第ｎ給気ユニットのうちの少なくとも１台の給気ユニットからの空気の給気を停止させた場合、バイパスユニットからの空気の給気を開始する給気第２開始止工程と、給気第１開始工程によってそれら第１〜第ｎ給気ユニットすべてからの空気の給気が開始された場合、バイパスユニットからの空気の給気を停止する給気第２停止工程とを含む。
【００１９】
本発明に係る空調方法の他の一例としては、第１〜第ｎ給気ユニットおよびバイパスユニットが、頂板と、前後側板および左右側板と、それら板に囲繞されたスペースと、それら側板の下端縁に囲繞された開口と、それら側板のいずれかに作られて給気ダクトを接続するダクト接続部と、ダクト接続部に連結されてスペースに収容され、前後側板の間において前後方向へ延びる断面形状が四角形のチャンバーと、チャンバーの側面開口に取り付けられて給気ダクトから給気された空気を頂板に向かって流動させ、給気ダクトから給気された空気による風切り音を低減させる消音ディフューザーと、チャンバーの直下であってスペースに設置されたＨＥＰＡフィルタと、ＨＥＰＡフィルタと開口との間であって側板近傍の前記スペースに設置された照明器具と、照明器具の下方であって開口近傍のスペースに設置されたスクリーンメッシュとを有し、スクリーンメッシュが、開口近傍のスペースに配置されて網目が一方向へ延びる第１スクリーンメッシュと、開口近傍のスペースに配置されて第１スクリーンメッシュの下面に重なり、網目が一方向と交差する交差方向へ延びる第２スクリーンメッシュと、開口近傍のスペースに配置されて第２スクリーンメッシュの下面に重なり、網目が一方向へ延びる第３スクリーンメッシュと、開口近傍のスペースに配置されて第３スクリーンメッシュの下面に重なり、網目が交差方向へ延びる第４スクリーンメッシュとのうちの、少なくとも第１および第２スクリーンメッシュから形成され、第１〜第４スクリーンメッシュのうちの少なくとも第１および第２スクリーンメッシュによって、照明器具から照射された人工光が開口全域から均一の照度で照射されるとともに給気ダクトから給気された空気の流れが整流されて垂直層流が作られる。
【００２０】
本発明に係る空調方法の他の一例としては、第１スクリーンメッシュが、開口近傍のスペースに緊張状態で取り付けられ、前後側板および左右側板に水平に固定され、第２スクリーンメッシュが、開口近傍のスペースに緊張状態で取り付けられ、前後側板および左右側板に水平に固定されている。
【００２１】
本発明に係る空調方法の他の一例としては、第１〜第ｎ給気ユニットおよびバイパスユニットが、消音機能および結露防止機能を有してＨＥＰＡフィルタの下方に延びる前後側板の内面と左右側板の内面とに貼付された発泡材シートを含む。
【発明の効果】
【００２２】
本発明にかかる手術室の空調システムによれば、それら近接センサからの近接信号によって第１〜第ｎ給気ユニットのうちの走行器が近接した給気ユニットからの空気の給気を停止する給気第１停止手段と、それら近接センサからの離間信号によって第１〜第ｎ給気ユニットのうちの走行器が離間した給気ユニットからの空気の給気を開始する給気第１開始手段とを有し、走行器が近接した給気ユニットからの空気の給気を停止することで、その給気ユニットからの空気が走行器に衝突することはなく、空気が走行器に衝突することによる気流の乱れを防ぐことができ、天井から流速が略一定の規則的な流れの清浄かつ温調された空気を手術室内の空調目的エリアへ給気することができる。手術室の空調システムは、天井に敷設された走行レールを走行器が往復移動しているときに、その走行器が離間した給気ユニットのすべてから空気が給気されるから、走行器の移動経路の直下に清浄かつ温調された空気を給気することができ、手術台およびその近傍全域に清浄な空気を継続して給気することができる。手術室の空調システムは、走行器が給気ユニットの吹出部分に近接したその給気ユニットからの空気の給気を停止するが、その給気ユニットから給気される空気がバイパスユニットを通って手術室に給気されるから、給気中の空調システム全体の総空調空気循環量が増減することはなく、天井から流速が略一定の規則的な流れの空気を給気することができ、温調された空気の高い清浄度を保持することが可能な垂直層流型空調を実現することができる。
【００２３】
近接センサが各給気ユニット毎の前端を含むその近傍に設置された前設置近接センサと各給気ユニット毎の後端を含むその近傍に設置された後設置近接センサとから形成され、前設置近接センサと後設置近接センサとのうちの少なくとも一方からの近接信号によって走行器の給気ユニットへの近接を認識し、前設置近接センサと後設置近接センサとの双方からの離間信号によって走行器の給気ユニットからの離間を認識する手術室の空調システムは、前設置近接センサと後設置近接センサとのうちの少なくとも一方のセンサからの近接信号によって走行器の給気ユニットへの近接を認識することで、特定の給気ユニットに走行器の略全体が位置する場合にその給気ユニットからの空気の給気を停止するのみならず、給気ユニットに走行器の一部が位置した場合もその給気ユニットからの給気を停止するから、給気ユニットからの空気が走行器に衝突することはなく、空気が走行器に衝突することによる気流の乱れを防ぐことができ、天井から流速が略一定の規則的な流れの空気を給気する垂直層流型空調を確実に実現することができる。手術室の空調システムは、前設置近接センサと後設置近接センサとの双方からの離間信号によって透視装置の走行器の給気ユニットからの離間を認識し、その給気ユニットから空気を給気するから、走行器が位置しない給気ユニットのすべてから空気を給気することができ、手術台およびその近傍全域に清浄かつ温調された空気を継続して給気することができる。
【００２４】
給気第１停止手段によってそれら第１〜第ｎ給気ユニットのうちの少なくとも１台の給気ユニットからの空気の給気を停止させた場合、バイパスユニットからの空気の給気を開始する給気第２開始止手段と、給気第１開始手段によって第１〜第ｎ給気ユニットすべてからの空気の給気が開始された場合、バイパスユニットからの空気の給気を停止する給気第２停止手段とを含む手術室の空調システムは、それら第１〜第ｎ給気ユニットのうちの少なくとも１台の給気ユニットからの空気の給気を停止させた場合、その給気ユニットから給気される空気がバイパスユニットを通って手術室に給気されるから、給気中における手術室全体の総空調空気循環量を維持することができる。手術室の空調システムは、第１〜第ｎ給気ユニットすべてからの空気の給気が開始された場合、バイパスユニットからの空気の給気を停止するから、給気中における手術室全体の総空調空気循環量を維持することができる。この空調システムは、給気ユニットから給気される空気の総風量が増減することはなく、天井から流速が略一定の規則的な流れの空気を給気することができ、温調された空気の高い清浄度を保持することが可能な垂直層流型空調を確実に実現することができる。
【００２５】
走行レールが手術室の天井において横方向へ離間対向し、第１〜第ｎ給気ユニットがそれら走行レールの間に配置されて前後方向へ並び、バイパスユニットが走行レールの外側近傍に配置されて天井から手術室に向かって空気を給気する手術室の空調システムは、走行レールの間において前後方向へ並ぶ第１〜第ｎ給気ユニットのうちの透視装置の走行器が近接した給気ユニットからの空気の給気を停止し、第１〜第ｎ給気ユニットのうちの透視装置の走行器が離間した給気ユニットからの空気の給気を開始するから、走行器が手術室の天井に敷設された走行レールを往復移動しているときに、その走行器が離間した給気ユニットのすべてから空気が給気され、走行器の移動経路の直下に清浄かつ温調された空気を給気することができ、手術台およびその近傍全域に清浄な温調空気を継続して給気することができる。手術室の空調システムは、走行器が近接した給気ユニットからの空気の給気を停止した場合、その給気ユニットから給気される空気が走行レールの外側近傍に配置されたバイパスユニットから手術室に向かって給気されるから、給気中の給気ユニットの空気の総風量が増減することはなく、天井から流速が略一定の規則的な流れの空気を給気することができ、温調された空気の高度な清浄度を保持することが可能な垂直層流型空調を実現することができる。
【００２６】
空調装置への還気の取入口が手術室の床近傍に位置している手術室の空調システムは、手術室の床近傍から空気を吸い込み、手術室の天井から清浄かつ温調された空気を給気するから、手術室内の空気の清浄度が熱負荷量や室内条件に影響されず、外部からの塵埃の侵入や塵埃の堆積、塵埃の再浮遊を防ぐことができ、空気の高度な清浄度と温調状態とを保持することが可能な垂直層流型空調を確実に実現することができる。
【００２７】
第１〜第ｎ給気ユニットおよびバイパスユニットが、頂板と、前後側板および左右側板と、それら板に囲繞されたスペースと、それら側板の下端縁に囲繞された開口と、それら側板のいずれかに作られて給気ダクトを接続するダクト接続部と、ダクト接続部に連結されてスペースに収容され、前後側板の間において前後方向へ延びる断面形状が四角形のチャンバーと、チャンバーの側面開口に取り付けられて給気ダクトから給気された空気を頂板に向かって流動させ、給気ダクトから給気された空気による風切り音を低減させる消音ディフューザーと、チャンバーの直下であってスペースに設置されたＨＥＰＡフィルタと、ＨＥＰＡフィルタと開口との間であって側板近傍のスペースに設置された照明器具と、照明器具の下方であって開口近傍のスペースに設置されたスクリーンメッシュとを有し、スクリーンメッシュが、開口近傍のスペースに配置されて網目が一方向へ延びる第１スクリーンメッシュと、開口近傍のスペースに配置されて第１スクリーンメッシュの下面に重なり、網目が一方向と交差する交差方向へ延びる第２スクリーンメッシュと、開口近傍のスペースに配置されて第２スクリーンメッシュの下面に重なり、網目が一方向へ延びる第３スクリーンメッシュと、開口近傍のスペースに配置されて第３スクリーンメッシュの下面に重なり、網目が交差方向へ延びる第４スクリーンメッシュとのうちの、少なくとも第１および第２スクリーンメッシュから形成され、第１〜第４スクリーンメッシュのうちの少なくとも第１および第２スクリーンメッシュによって、照明器具から照射された人工光が開口全域から均一の照度で照射されるとともに給気ダクトから給気された空気の流れが整流されて垂直層流が作られる手術室の空調システムは、ＨＥＰＡフィルタによって微細な塵埃が除去された清浄なかつ温調された空気がスクリーンメッシュを通って開口から給気されるとともに、照明器具による人工光がスクリーンメッシュによって拡散されて開口から手術室内へ照射されるから、給気ユニットやバイパスユニットを手術台およびその近傍の天井に設置することで、清浄な温調空気を手術台を含むその近傍全域に継続して給気することができるとともに、手術台やその近傍の照明を明るくすることができる。手術室の空調システムは、清浄かつ温調された空気がスクリーンメッシュを通ることで、空気がスクリーンメッシュによって整流されるから、気流の乱れを防ぐことができ、清浄な温調空気を給気ユニットやバイパスユニットの開口全域から満遍なく給気することができる。さらに、照明器具による人工光がユニットの開口近傍に位置するスクリーンメッシュによる緩やかな遮光作用によってスクリーンメッシュ全域に拡散されるから、スクリーンメッシュにおいて照明の明暗やちらつきが生じることはなく、スクリーンメッシュ全域から略均一の照度の光を手術室内へ照射させることができる。この空調システムは、ＨＥＰＡフィルタと照明器具とを一体化した温調空気の吹出口としての機能および照明機能を有する給気ユニットやバイパスユニットを使用することで、それらの機能を有する機器を手術室の天井に別々に設置する場合と比較し、手術室の天井面における配置面積を節約することができ、天井面の設備設計の自由度を向上させることができるとともに、手術室の天井に手術に必要な他の機器の設置場所を確保することができる。空調システムは、それらスクリーンメッシュの網目が互いに交差することで、一方向へ延びる網目を有するスクリーンメッシュを通過する空気がそれら網目に整流されるとともに、交差方向へ延びる網目を有するスクリーンメッシュを通過する空気が一方向と交差する方向へ連続して整流され、それによって整流効果が向上するから、それらスクリーンメッシュ全域から流速が略一定の規則的な流れの空気を給気することができ、空気の高い清浄度を保持することが可能な垂直層流型空調を実現することができる。また、スクリーンメッシュの網目にムラや方向模様があったとしても、それらスクリーンメッシュが重なることで、照明器具の輝度ムラを抑えることができる。
【００２８】
本発明にかかる手術室の空調方法によれば、それら近接センサからの近接信号によって第１〜第ｎ給気ユニットのうちの透視装置の走行器が近接した給気ユニットからの空気の給気を停止するから、その給気ユニットからの空気が走行器に衝突することはなく、空気が走行器に衝突することによる気流の乱れを防ぐことができ、天井から流速が略一定の規則的な流れの清浄かつ温調された空気を給気することができる。手術室の空調方法は、それら近接センサからの離間信号によって第１〜第ｎ給気ユニットのうちの透視装置の走行器が離間した給気ユニットからの空気の給気を開始するから、天井に敷設された走行レールを走行器が往復移動しているときに、その走行器が離間した給気ユニットのすべてから空気が給気されるから、走行器の移動経路の直下に清浄かつ温調された空気を給気することができ、手術台およびその近傍全域に清浄な温調空気を継続して給気することができる。この空調方法は、走行器が近接した給気ユニットからの空気の給気を停止するが、その給気ユニットから給気される空気がバイパスユニットを通って手術室に給気されるから、給気中の給気ユニットの空気の総風量が増減することはなく、天井から流速が略一定の規則的な流れの空気を給気することができ、温調された空気の高い清浄度を保持することが可能な垂直層流型空調を実現することができる。
【００２９】
近接センサが各給気ユニット毎の前端を含むその近傍に設置された前設置近接センサおよび後端を含むその近傍に設置された後設置近接センサから形成され、前設置近接センサと後設置近接センサとのうちの少なくとも一方からの近接信号によって走行器の給気ユニットへの近接を認識し、前設置近接センサと後設置近接センサとの双方からの離間信号によって走行器の給気ユニットからの離間を認識する手術室の空調方法は、前設置近接センサと後設置近接センサとのうちの少なくとも一方からの近接信号によって走行器の給気ユニットへの近接を認識することで、特定の給気ユニットに走行器の略全体が位置する場合にその給気ユニットからの空気の給気を停止するのみならず、給気ユニットに走行器の一部が位置した場合もその給気ユニットからの給気を停止するから、給気ユニットからの空気が走行器に衝突することはなく、空気が走行器に衝突することによる気流の乱れを防ぐことができ、天井から流速が略一定の規則的な流れの空気を給気する垂直層流型空調を確実に実現することができる。空調方法は、前設置近接センサと後設置近接センサとの双方からの離間信号によって透視装置の走行器の給気ユニットからの離間を認識し、その給気ユニットから空気を給気するから、走行器が位置しない給気ユニットすべてから空気を給気することができ、手術台およびその近傍全域に清浄かつ温調された空気を継続して給気することができる。
【００３０】
給気第１停止工程によってそれら第１〜第ｎ給気ユニットのうちの少なくとも１台の給気ユニットからの空気の給気を停止させた場合、バイパスユニットからの空気の給気を開始する給気第２開始止工程と、給気第１開始工程によってそれら第１〜第ｎ給気ユニットすべてからの空気の給気が開始された場合、バイパスユニットからの空気の給気を停止する給気第２停止工程とを含む手術室の空調方法は、それら第１〜第ｎ給気ユニットのうちの少なくとも１台の給気ユニットからの空気の給気を停止させた場合、その給気ユニットから給気される空気がバイパスユニットを通って手術室に給気されるから、手術室全体における総空調空気循環量を維持することができる。空調方法は、第１〜第ｎ給気ユニットすべてからの空気の給気が開始された場合、バイパスユニットからの空気の給気を停止し、空気が第１〜第ｎ給気ユニットを通って手術室に給気されるから、手術室全体における総空調空気循環量を維持することができる。手術室の空調方法は、給気ユニットから給気される空気の総風量が増減することはなく、天井から流速が略一定の規則的な流れの空気を給気することができ、温調された空気の高い清浄度を保持することが可能な垂直層流型空調を実現することができる。
【００３１】
第１〜第ｎ給気ユニットおよびバイパスユニットが、頂板と、前後側板および左右側板と、それら板に囲繞されたスペースと、それら側板の下端縁に囲繞された開口と、それら側板のいずれかに作られて給気ダクトを接続するダクト接続部と、ダクト接続部に連結されてスペースに収容され、前後側板の間において前後方向へ延びる断面形状が四角形のチャンバーと、チャンバーの側面開口に取り付けられて給気ダクトから給気された空気を頂板に向かって流動させ、給気ダクトから給気された空気による風切り音を低減させる消音ディフューザーと、チャンバーの直下であってスペースに設置されたＨＥＰＡフィルタと、ＨＥＰＡフィルタと開口との間であって側板近傍のスペースに設置された照明器具と、照明器具の下方であって開口近傍のスペースに設置されたスクリーンメッシュとを有し、スクリーンメッシュが、開口近傍のスペースに配置されて網目が一方向へ延びる第１スクリーンメッシュと、開口近傍のスペースに配置されて第１スクリーンメッシュの下面に重なり、網目が一方向と交差する交差方向へ延びる第２スクリーンメッシュと、開口近傍のスペースに配置されて第２スクリーンメッシュの下面に重なり、網目が一方向へ延びる第３スクリーンメッシュと、開口近傍のスペースに配置されて第３スクリーンメッシュの下面に重なり、網目が交差方向へ延びる第４スクリーンメッシュとのうちの、少なくとも第１および第２スクリーンメッシュから形成され、第１〜第４スクリーンメッシュのうちの少なくとも第１および第２スクリーンメッシュによって、照明器具から照射された人工光が開口全域から均一の照度で照射されるとともに給気ダクトから給気された空気の流れが整流されて垂直層流が作られる手術室の空調方法は、ＨＥＰＡフィルタによって微細な塵埃が除去された清浄なかつ温調された空気がスクリーンメッシュを通って開口から給気されるとともに、照明器具による人工光がスクリーンメッシュによって拡散されて開口から手術室内へ照射されるから、給気ユニットやバイパスユニットを手術台およびその近傍の天井に設置することで、清浄な温調空気を手術台を含むその近傍全域に継続して給気することができるとともに、手術台やその近傍の照明を明るくすることができる。手術室の空調方法は、清浄かつ温調された空気がスクリーンメッシュを通ることで、空気がスクリーンメッシュによって整流されるから、気流の乱れを防ぐことができ、清浄な温調空気を給気ユニットやバイパスユニットの開口全域から満遍なく給気することができる。さらに、照明器具による人工光がユニットの開口近傍に位置するスクリーンメッシュによる緩やかな遮光作用によってスクリーンメッシュ全域に拡散されるから、スクリーンメッシュにおいて照明の明暗やちらつきが生じることはなく、スクリーンメッシュ全域から略均一の照度の光を手術室内へ照射させることができる。この空調方法は、ＨＥＰＡフィルタと照明器具とを一体化した温調空気の吹出口としての機能および照明機能を有する給気ユニットやバイパスユニットを使用することで、それらの機能を有する機器を手術室の天井に別々に設置する場合と比較し、手術室の天井面における配置面積を節約することができ、天井面の設備設計の自由度を向上させることができるとともに、手術室の天井に手術に必要な他の機器の設置場所を確保することができる。空調方法は、それらスクリーンメッシュの網目が互いに交差することで、一方向へ延びる網目を有するスクリーンメッシュを通過する空気がそれら網目に整流されるとともに、交差方向へ延びる網目を有するスクリーンメッシュを通過する空気が一方向と交差する方向へ連続して整流され、それによって整流効果が向上するから、それらスクリーンメッシュ全域から流速が略一定の規則的な流れの空気を給気することができ、空気の高い清浄度を保持することが可能な垂直層流型空調を実現することができる。また、スクリーンメッシュの網目にムラや方向模様があったとしても、それらスクリーンメッシュが重なることで、照明器具の輝度ムラを抑えることができる。
【図面の簡単な説明】
【００３２】
【図１】一例として示す給気ユニットおよびバイパスユニットの上面図。
【図２】給気ユニットおよびバイパスユニットの側面図。
【図３】給気ユニットおよびバイパスユニットの底面図。
【図４】図１の４−４線端面図。
【図５】第１および第２スクリーンメッシュの斜視図。
【図６】一例として示す空調システム（空調方法）を示す構成図（天井裏見下図）。
【図７】一例として示す空調システム（空調方法）を示す構成図。
【図８】空調システム（空調方法）における空気の給気開始と給気停止との制御を説明する図（側面から見た断面図）。
【図９】図８から続く空気の給気開始と給気停止との制御を説明する図。
【図１０】図９から続く空気の給気開始と給気停止との制御を説明する図。
【図１１】図１０から続く空気の給気開始と給気停止との制御を説明する図。
【図１２】図１１から続く空気の給気開始と給気停止との制御を説明する図。
【図１３】他の一例として示す空調システム（空調方法）を示す構成図（天井裏見下図）。
【図１４】他の一例として示す空調システム（空調方法）を示す構成図。
【図１５】空調システム（空調方法）における空気の給気開始と給気停止との制御を説明する図。
【図１６】図１５から続く空気の給気開始と給気停止との制御を説明する図。
【図１７】図１６から続く空気の給気開始と給気停止との制御を説明する図。
【図１８】図１７から続く空気の給気開始と給気停止との制御を説明する図。
【図１９】図１８から続く空気の給気開始と給気停止との制御を説明する図。
【発明を実施するための形態】
【００３３】
一例として示す給気ユニット１０およびバイパスユニット１０の上面図である図１等の添付の図面を参照し、本発明に係る給気ユニットおよびバイパスユニットを利用した手術室の空調システム（空調方法）の詳細を説明すると、以下のとおりである。なお、図２は、給気ユニット１０およびバイパスユニット１０の側面図であり、図３は、給気ユニット１０およびバイパスユニット１０の底面図である。図４は、図１の４−４線端面図であり、図５は、給気ユニット１０およびバイパスユニット１０に設置される第１および第２スクリーンメッシュ２９，３１の斜視図である。図１では、頂板１１が省略され、図２では、右側板１４が省略されている。図１，２では、長さ方向（前後方向）を矢印Ａ、幅方向（横方向）を矢印Ｂ（図１のみ）で示し、上下方向を矢印Ｃ（図２のみ）で示す。
【００３４】
給気ユニット１０およびバイパスユニット１０は、図６，７および図１２，１３に示す手術室５１（ハイブリッド手術室）の天井５２に設置され、手術室５１の天井５２から床５３（手術台５８およびその近傍）に向かって清浄かつ温調された空気を給気する。給気ユニット１０およびバイパスユニット１０には、後記する給気ダクト７３，７４から空気が供給される。なお、給気ユニット１０およびバイパスユニット１０は、手術室５１のみならず、他の医療施設や福祉施設、公共施設、宿泊施設等のあらゆる建造物の天井に設置することができ、その建造物の天井から室（床）に向かって清浄な温調空気を給気することができる。
【００３５】
給気ユニット１０およびバイパスユニット１０は、長さ方向へ長い略四角形の頂板１１と、幅方向へ長い略四角形の前後側板１２，１３と、長さ方向へ長い略四角形の左右側板１４，１５とを有し、それら板１１〜１５が五面体の箱を形成している。給気ユニット１０およびバイパスユニット１０には、それら壁１１〜１５に囲繞された所定容積のスペース１７（内部空間）と、それら側板１２〜１５の下端縁に囲繞された開口１８（吹出口）とが画成されている。なお、給気ユニット１０やバイパスユニット１０の大きさについて特に限定はなく、設置する手術室５１の容積や天井面積、給気する空気の流量等に合わせてその大きさを自由に設計することができる。
【００３６】
頂板１１の四隅（各角部）には、吊りボルトを固定するボルト固定金具１９が取り付けられている。前側板１２には、給気ダクト７３，７４を接続するダクト接続部２０が作られている。ダクト接続部２０には、断面形状が四角形のチャンバー２１が連結されている。チャンバー２１は、スペース１７に収容され、前側板１２と後側板１３との間において前後方向へ延びている。チャンバー２１の側面開口３２には、消音ディフューザー２２が取り付けられている。給気ユニット１０は、手術室５１の天井下地材に固定され、天井板に乗せられた状態で設置される。給気ユニット１０およびバイパスユニット１０の他の設置手段としては、ボルト固定金具１９に吊りボルトの下端部が固定され、吊りボルトの上端部が天井スラブに固定されることで、天井に吊り下げられた状態で設置される。
【００３７】
給気ユニット１０およびバイパスユニット１０のスペース１７には、２つのＨＥＰＡフィルタ２３Ａ，２３Ｂと２つのＬＥＤ照明２４Ａ，２４Ｂ（照明器具）と２つスクリーンメッシュ２５Ａ，２５Ｂとが取り付けられている。ＨＥＰＡフィルタ２３Ａ，２３Ｂの下方に延びる前後側板１２，１３の内面と左右側板１４，１５の内面とには、消音機能および結露防止機能を有する発泡材シート２６（ＰＦシート）が貼付されている。
【００３８】
それらＨＥＰＡフィルタ２３Ａ，２３Ｂは、その平面形状が四角形に成型され、カートリッジに着脱可能に収容されている。ＨＥＰＡフィルタ２３Ａ，２３Ｂは、ダクト接続部２０（チャンバー２１）の直下（下方）におけるスペース１７に配置されている。それらＨＥＰＡフィルタ２３Ａ，２３Ｂは、カートリッジを介して各側板１２〜１５に水平に固定され、スペース１７において長さ方向と幅方向とへ延びている。それらＨＥＰＡフィルタ２３Ａ，２３Ｂは、給気ダクト７３，７４からスペース１７に給気された空気に含まれる微細な塵埃（手術室５１内に発生した塵埃、花粉やPM2.5を含む）を除去し、塵埃が除去された清浄な空気を作る。
【００３９】
それらＬＥＤ照明２４Ａ，２４Ｂは、ＨＥＰＡフィルタ２３Ａ，２３Ｂとスクリーンメッシュ２５Ａ，２５Ｂを取り付けた開口１８との間であって左右側板１４，１５近傍（左右側板１４，１５の直近）のスペース１７に固定治具を介して固定され、長さ方向へ延びている。給気ユニット１０およびバイパスユニット１０には２つのＬＥＤ照明２４Ａ，２４Ｂが設置されているが、給気ユニット１０やバイパスユニット１０の大きさによっては４つのＬＥＤ照明がユニット１０に設置されていてもよい。この場合は、２つのＬＥＤ照明が左右側板１４，１５近傍（左右側板１４，１５の直近）のスペース１７に固定されて前後方向へ延び、２つのＬＥＤ照明が前後側板１２，１３近傍（前後側板１２，１３の直近）のスペース１７に固定されて幅方向へ延びる。それらＬＥＤ照明２４Ａ，２４Ｂは、ＨＥＰＡフィルタ２３Ａ，２３Ｂと開口１８との間のスペース１７に人工光を照射する。
【００４０】
給気ユニット１０およびバイパスユニット１０では、それらＬＥＤ照明２４Ａ，２４Ｂが左右側壁１４，１５の直近に固定されることで（前後側壁１２，１３の直近に固定される場合も含む）、ＬＥＤ照明２４Ａ，２４Ｂが給気ダクト７３，７４からスペース１７Ａ，１７Ｂに給気された空気の抵抗になることはなく、空気の気流がＬＥＤ照明２４Ａ，２４Ｂによって乱されることはない。さらに、ＬＥＤ照明２４Ａ，２４Ｂが熱を発生したとしても、給気ユニット１０やバイパスユニット１０から給気される空気がＬＥＤ照明２４Ａ，２４Ｂの放熱を補助するから、熱によってＬＥＤ照明２４Ａ，２４Ｂが損傷することはなく、発光不良を起こすことはない。
【００４１】
スクリーンメッシュ２５Ａは、その平面形状が四角形に成型され、四角形のフレーム２７Ａに緊張状態で取り付けられている。スクリーンメッシュ２５Ａは、ＨＥＰＡフィルタ２３ＡやＬＥＤ照明２５Ａ，２５Ｂの下方であってスペース１７の開口１８近傍（吹出部分近傍）にフレーム２７Ａを介して着脱可能に固定されている。スクリーンメッシュ２５Ｂは、その平面形状が四角形に成型され、四角形のフレーム２７Ｂに緊張状態で取り付けられている。スクリーンメッシュ２５Ｂは、ＨＥＰＡフィルタ２３ＢやＬＥＤ照明２５Ａ，２５Ｂの下方であってスペース１７の開口１８近傍（吹出部分近傍）にフレーム２７Ｂを介して着脱可能に固定されている。それらスクリーンメッシュ２５Ａ，２５Ｂは、フレーム２７Ａ，２７Ｂによって各側壁１２〜１５に水平に固定され、スペース１７において長さ方向と幅方向とへ延びている。
【００４２】
それらスクリーンメッシュ２５Ａ，２５Ｂは、図５に示すように、網目２８が長さ方向（一方向）へ延びる第１スクリーンメッシュ２９と、網目３０が長さ方向（一方向）と交差する幅方向（交差方向）へ延びる第２スクリーンメッシュ３１との二枚のスクリーンメッシュ２９，３１から形成されている。第２スクリーンメッシュ３１は、その上面が第１スクリーンメッシュ２９の直下であってスクリーンメッシュ２９の下面に重なっている。互いに重なり合う第１および第２スクリーンメッシュ２９，３１の網目２８，３０によって同形同大の略四角形の複数の網目（通気孔）が画成されている。なお、四角形や六角形等の複数の網目（通気孔）が形成された単一（一枚）のスクリーンメッシュ２５Ａ，２５Ｂを使用することもできる。スクリーンメッシュ２５Ａ，２５Ｂは、ＬＥＤ照明２４Ａ，２４Ｂから照射される人工光を開口１８全域（スクリーンメッシュ２５Ａ，２５Ｂ全域）に拡散させる拡散板として機能するとともに、網目２８，３０（通気孔）に空気を通過させることで空気の流れを整流する整流板として機能をする。スクリーンメッシュ２５Ａ，２５Ｂは、網目が長さ方向へ延びる第１スクリーンメッシュと、第１スクリーンメッシュの下面に重なって網目が幅方向へ延びる第２スクリーンメッシュと、第２スクリーンメッシュの下面に重なって網目が長さ方向へ延びる第３スクリーンメッシュと、第３スクリーンメッシュの下面に重なって網目が幅方向へ延びる第４スクリーンメッシュとから形成されていてもよく、前記第１〜第３スクリーンメッシュから形成されていてもよい。
【００４３】
給気ダクト７３，７４から供給された温調空気は、給気ユニット１０やバイパスユニット１０のダクト接続部２０からチャンバー２１に流入し、図４に矢印で示すように、チャンバー２１の側面開口３２から消音ディフューザー２２に当たり、ディフューザー２２から頂壁１１に向かって流動した後、頂壁１１に当たってＵターンし、ＨＥＰＡフィルタ２３Ａ，２３Ｂに向かって流動する。空気が消音ディフューザー２２によって誘導されて頂壁１１に当たることで、空気が直接フィルタ２３Ａ，２３Ｂに向かって流動する場合と比較し、空気による風切り音を低減させることができ、側板１２〜１５の内面に貼付された発泡材シート２６の吸音効果との相乗により、給気ユニット１０やバイパスユニット１０における雑音を消すことができる。
【００４４】
ＨＥＰＡフィルタ２３Ａ，２３Ｂに向かった空気は、それらＨＥＰＡフィルタ２３Ａ，２３Ｂを通過した後、開口１８近傍に取り付けられたスクリーンメッシュ２５Ａ，２５Ｂを通過する。空気は、それに含まれる微細な塵埃がＨＥＰＡフィルタ２３Ａ，２３Ｂによって除去される。塵埃が除去された温調空気は、第１スクリーンメッシュ２９の長さ方向へ延びる網目２８を通過して整流されるとともに、第２スクリーンメッシュ３１の幅方向へ延びる網目３０を通過して整流され、スクリーンメッシュ２５Ａ，２５Ｂの全域から略一定の流速の規則的な流れとなって手術室５１に給気される。ＬＥＤ照明２４Ａ，２４Ｂから給気ユニット１０やバイパスユニット１０のスペース１７に照射された人工光は、スクリーンメッシュ２５Ａ，２５Ｂに入光し、スクリーンメッシュ２５Ａ，２５Ｂ（第１および第２スクリーンメッシュ２９，３１）によって拡散され、略均一の照度となってスクリーンメッシュ２５Ａ，２５Ｂ全域から手術室５１に照射される。
【００４５】
給気ユニット１０およびバイパスユニット１０は、ＨＥＰＡフィルタ２３Ａ，２３Ｂによって微細な塵埃が除去された清浄な温調空気がスクリーンメッシュ２５Ａ，２５Ｂを通って開口１８から給気されるとともに、ＬＥＤ照明２４Ａ，２４Ｂによる人工光がスクリーンメッシュ２５Ａ，２５Ｂによって拡散されて開口１８から照射されるから、１台または複数台の給気ユニット１０やバイパスユニット１０をたとえば手術室５１の手術台５８およびその近傍の天井５２に設置することで、清浄な温調空気を手術台５８を含むその近傍全域（手術室５１内の空調目的エリア）に継続して給気することができるとともに、手術台５８やその近傍の照明を明るくすることができる。給気ユニット１０およびバイパスユニット１０は、クリーンルームと略同等の清浄度が要求される手術室５１に好適に使用することができる。
【００４６】
給気ユニット１０およびバイパスユニット１０は、清浄な温調空気がスクリーンメッシュ２５Ａ，２５Ｂを通ることで、空気が第１スクリーンメッシュ２９の長さ方向へ延びる網目２８によって整流されるとともに、空気が第２スクリーンメッシュ３１の幅方向へ延びる網目３０によって整流され、空気の風速および風向を整えることができるから、スクリーンメッシュ２５Ａ，２５Ｂ全域から流速が略一定の規則的な流れの空気を手術室５１に給気することができ、温調された空気の高い清浄度を保持することが可能な垂直層流型空調を実現することができる。
【００４７】
給気ユニット１０およびバイパスユニット１０は、ＬＥＤ照明２４Ａ，２４Ｂによる人工光がスクリーンメッシュ２５Ａ，２５Ｂ全域に拡散されるから、スクリーンメッシュ２５Ａ，２５Ｂにおいて照明の明暗やちらつきが生じることはなく、スクリーンメッシュ２５Ａ，２５Ｂ全域から略均一の照度の光を手術室５１に照射させることができる。
【００４８】
図６，７は、手術室５１（ハイブリッド手術室）に設置された空調システム５０Ａ（空調方法）を示す構成図である。図６では、手術室５１を上方（天井５２の側）から示し、図７は、手術室５１を前方（前壁５４の側）から示す。図６，７では、手術台５８や透視装置５９（Ｘ線アンギオグラフィー）、無影灯６０（図７に図示）、照明器具６１を点線で示す。図７では、第２バイパスユニット６６Ｂの図示を省略している。図６，７では、前後方向（長さ方向）を矢印Ａ（図６のみ）、横方向（幅方向）を矢印Ｂで示し、上下方向を矢印Ｃ（図７のみ）で示す。
【００４９】
手術室５１は、天井５２および床５３と前後壁５４，５５および両側壁５６．５７とに囲繞された所定容積の空調空間を有し、天井５２や床５３、それら壁５４〜５７によって室外と気密に仕切られている。手術室５１には、移動式または固定式の前後方向へ長い手術台５８や可視化手術対応の懸垂型の透視装置５９（Ｘ線アンギオグラフィー）、無影灯６０、照明器具６１が設置されているとともに、図示はしていないがその他の手術支援機器が設置されている。それら照明器具６１は、一方の側壁５７と後記する第１走行レール６２Ａとの間に延びる天井５２に取り付けられ、他方の側壁５８と後記する第２走行レール６２Ｂとの間に延びる天井５２に取り付けられている。手術台５８は、それら走行レール６２Ａ，６２Ｂの間に配置される。
【００５０】
透視装置５９は、手術室５１の天井５２に敷設された第１および第２走行レール６２Ａ，６２Ｂと、それら走行レール６２Ａ，６２Ｂに取り付けられた走行器６２と、走行器６２に垂下された天井走行アーム６４（Ｃアーム）とを有する。第１および第２走行レール６２Ａ，６２Ｂは、手術台５８の直上の手術室５１の天井５２に取り付けられ、横方向へ離間対向して前後方向へ延びている。それら走行レール６２Ａ，６２Ｂは、その前端部が前壁５４近傍に達し、その後端部が後壁５５近傍に達している。走行器６３は、図６に矢印Ｌで示すように、走行レール６２Ａ，６２Ｂに垂下された状態で前後方向へ往復移動し、天井走行アーム６４は、走行器６３の往復移動にともなって移動する。
【００５１】
空調システム５０Ａ（空調方法）は、第１〜第８給気ユニット６５Ａ〜６５Ｈ（第１〜第ｎ給気ユニット）と、第１〜第２バイパスユニット６６Ａ，６６Ｂ（第１〜第ｎ給気バイパスユニット）と、第１〜第４空調装置６７Ａ〜６７Ｄ（第１〜第ｎ空調装置）と、第１〜第８近接センサ６８Ａ〜６８Ｈ（第１〜第ｎ近接センサ）と、コントローラ６９（制御装置）とから形成されている。第１〜第８給気ユニット６５Ａ〜６５Ｈや第１〜第２バイパスユニット６６Ａ，６６Ｂには、図１〜図３に示す給気ユニット１０およびバイパスユニット１０が使用されている。
【００５２】
第１〜第４給気ユニット６５Ａ〜６５Ｄは、第１および第２走行レール６２Ａ，６２Ｂの間に延びる天井５２に取り付けられ、それら走行レール６２Ａ，６２Ｂに並行して（走行レール６２Ａ，６２Ｂに沿って）前後方向へ一列に並んでいる。第５〜第８給気ユニット６５Ｅ〜６５Ｈは、第１〜第４給気ユニット６５Ａ〜６５Ｄに並列するとともに、第１および第２走行レール６２Ａ，６２Ｂの間に延びる天井５２に取り付けられ、それら走行レール６２Ａ，６２Ｂに並行して（走行レール６２Ａ，６２Ｂに沿って）前後方向へ一列に並んでいる。なお、給気ユニット６５Ａ〜６５Ｈの台数を図示のそれに限定するものではなく、手術室５１の容積や天井５２に対する機器の配置、給気ユニットの空気給気量等により、給気ユニットの台数を図示のそれよりも多くすることもでき、図示のそれよりも少なくすることもできる。
【００５３】
第１バイパスユニット６６Ａは、第１走行レール６２Ａの外側近傍であって走行レール６２と側壁５６との間に延びる天井５２に取り付けられている。第２バイパスユニット６６Ｂは、第２走行レール６２Ｂの外側近傍であって走行レール６２Ｂと側壁５７との間に延びる天井５２に取り付けられている。なお、バイパスユニット６６Ａ，６６Ｂの台数を図示のそれに限定するものではなく、手術室５１の容積や天井５２に対する機器の配置、バイパスユニットの空気給気量等により、バイパスユニットの台数を図示のそれよりも多くすることもでき、図示のそれよりも少なくすることもできる。
【００５４】
第１〜第４空調装置６７Ａ〜６７Ｄは、手術室５１の四隅（各角部）に設置されている。それら空調装置６７Ａ〜６７Ｄは、温調された空気を第１〜第８給気ユニット６５Ａ〜６５Ｈおよび第１〜第２バイパスユニット６６Ａ，６６Ｂに供給する。それら空調装置６７Ａ〜６７Ｄは、給気ファン７０と冷却加熱コイル７１と還気空気取入口７２とを有する（図７参照）。還気空気取入口７２は、手術室５１内の床５３近傍（床５３の直近）に位置し、手術室５１の中央に向かって開口している。なお、空調装置６７Ａ〜６７Ｄの台数を図示のそれに限定するものではなく、空調装置の能力により、空調装置の台数を図示のそれよりも多くすることもでき、図示のそれよりも少なくすることもできる。第１および第２空調装置６７Ａ，６７Ｂは、第１給気ダクト７３によって連結され、第３および第４空調装置６７Ｃ，６７Ｄは、第２給気ダクト７４によって連結されている。
【００５５】
第１〜第８近接センサ６８Ａ〜６８Ｈは、第１走行レール６２Ａの内側近傍に設置され、走行レール６２Ａに並行して前後方向へ一列に並んでいる。それら近接センサ６８Ａ〜６８Ｈは、制御信号線７５を介してコントローラ６９に接続されている。近接センサ６８Ａ〜６８Ｈには、超音波センサや光電センサを使用することができる。第１近接センサ６８Ａ（前設置近接センサ）は、第１および第５給気ユニット６５Ａ，６５Ｅの前端に位置するように配置され、第２近接センサ６８Ｂ（後設置近接センサ）は、第１および第５給気ユニット６５Ａ，６５Ｅの後端に位置するように配置されている。
【００５６】
第３近接センサ６８Ｃ（前設置近接センサ）は、第２および第６給気ユニット６５Ｂ，６５Ｆの前端に位置するように配置され、第４近接センサ６８Ｄ（後設置近接センサ）は、第２および第６給気ユニット６５Ｂ，６５Ｆの後端に位置するように配置されている。第５近接センサ６８Ｅ（前設置近接センサ）は、第３および第７給気ユニット６５Ｃ，６５Ｇの前端に位置するように配置され、第６近接センサ６８Ｆ（後設置近接センサ）は、第３および第７給気ユニット６５Ｃ，６５Ｇの後端に位置するように配置されている。第７近接センサ６８Ｇ（前設置近接センサ）は、第４および第８給気ユニット６５Ｄ，６５Ｈの前端に位置するように配置され、第８近接センサ６８Ｈ（後設置近接センサ）は、第４および第８給気ユニット６５Ｄ，６５Ｈの後端に位置するように配置されている。
【００５７】
コントローラ６９は、中央処理装置（ＣＰＵまたはＭＰＵ）とメインメモリおよびキャッシュメモリとを有して独立したオペレーティングシステム（ＯＳ）によって動作する物理的なコンピュータである。コントローラ６９には、各種データを入力するための入力装置、入力確認のための表示装置がインターフェイスを介して接続されている（図示せず）。コントローラ６９は、メインメモリに格納されたアプリケーションを起動し、起動したアプリケーションに従って、後記する各手段（各工程）を実行する。
【００５８】
第１および第５給気ユニット６５Ａ，６５Ｅは、第１給気ダクト７３によって第１および第２空調装置６７Ａ，６７Ｂに連結され、第２および第６給気ユニット６５Ｂ，６５Ｆは、第１給気ダクト７３によって第１および第２空調装置６７Ａ，６７Ｂに連結されている。第１バイパスユニット６６Ａは、第１給気ダクト７３によって第１および第２空調装置６７Ａ，６７Ｂに連結されている。
【００５９】
第１および第５給気ユニット６５Ａ，６５Ｅを連結する第１給気ダクト７３には、第１モーターダンパ７６Ａ（ＭＤ）が設置され、第２および第６給気ユニット６５Ｂ，６５Ｆを連結する第１給気ダクト７３には、第２モーターダンパ７６Ｂが設置されている。第１バイパスユニット６６Ａにつながる第１給気ダクト７３には、第１風量調節ダンパ７７Ａ（ＶＤ）が設置されている。
【００６０】
第３および第７給気ユニット６５Ｃ，６５Ｇは、第２給気ダクト７４によって第３および第４空調装置６７Ｃ，６７Ｄに連結され、第４および第８給気ユニット６５Ｄ，６５Ｈは、第２給気ダクト７４によって第３および第４空調装置６７Ｃ，６７Ｄに連結されている。第２バイパスユニット６６Ｂは、第２給気ダクト７４によって第３および第４空調装置６７Ｃ，６７Ｄに連結されている。
【００６１】
第３および第７給気ユニット６５Ｃ，６５Ｇを連結する第２給気ダクト７４には、第３モーターダンパ７６Ｃが設置され、第４および第８給気ユニット６５Ｄ，６５Ｈを連結する第２給気ダクト７４には、第４モーターダンパ７６Ｄが設置されている。第２バイパスユニット６６Ｂにつながる第２給気ダクト７４には、第２風量調節ダンパ７７Ｂが設置されている。
【００６２】
第１〜第４モーターダンパ７６Ａ〜７６Ｄは、モジュトロールモーターと、そのモーターの駆動力によって旋回する旋回羽根と、旋回羽根の旋回によって開閉される空気流路と、旋回羽根の旋回を制御する制御部とを有する。第１〜第４モーターダンパ７６Ａ〜７６Ｄの制御部は、制御信号線７５を介してコントローラ６９に接続されている。第１および第２風量調節ダンパ７７Ａ，７７Ｂは、第１および第２バイパスユニット６６Ａ，６６Ｂにつながる第１および第２給気ダクト７３，７４内を通過する空気の風量を調整する。システム５０Ａでは、風量調節ダンパ７７Ａ，７７Ｂのダンパ開度が一定に保持されている。
【００６３】
第１〜第４モーターダンパ７６Ａ〜７６Ｄの制御部は、コントローラ６９から出力された開閉信号によってモジュトロールモーターが回転し、それによって旋回羽根の旋回角度（ダンパ開度）を変更することで、空気流路を開放または閉鎖する。コントローラ６９から開信号が出力され、それらモーターダンパ７６Ａ〜７６Ｄの空気流路が開放されると、給気ダクト７３，７４が開放され、空気が給気ダクト７３，７４を通って各給気ユニット６５Ａ〜６５Ｈや各バイパスユニット６６Ａ，６６Ｂに流入する。コントローラ６９から閉信号が出力され、それらモーターダンパ７６Ａ〜７６Ｄの空気流路が閉鎖されると、各給気ユニット６５Ａ〜６５Ｈにつながる給気ダクト７３，７４が閉鎖され、空気が給気ダクト７３，７４および風量調節ダンパ７７Ａ，７７Ｂを通ってバイパスユニット６６Ａ，６６Ｂに流入する。
【００６４】
図８は、空調システム５０Ａ（空調方法）における空気の給気開始と給気停止との制御を説明する図であり、図９は、図８から続く空気の給気開始と給気停止との制御を説明する図である。図１０は、図９から続く空気の給気開始と給気停止との制御を説明する図であり、図１１は、図１０から続く空気の給気開始と給気停止との制御を説明する図である。図１２は、図１１から続く空気の給気開始と給気停止との制御を説明する図である。図８〜図１２では、手術台５８や無影灯６０、照明器具６１、コントローラ６９の図示を省略し、透視装置５９や走行レール６２Ａを点線で示す。
【００６５】
手術室５１の手術台５８に患者が横臥した状態で手術が行われる場合、透視装置５９の走行器６３および天井走行アーム６４が走行レール６２Ａ，６２Ｂに沿って前後方向へ移動し、患者の透視や血管撮影が行われる。手術室５１においてシステム５０ＡをＯＮにすると、第１〜第４空調装置６７Ａ〜６７Ｄや第１〜第８近接センサ６８Ａ〜６８Ｈ、第１〜第４モーターダンパ７６Ａ〜７６Ｄ、コントローラ６９が起動し、空調装置６７Ａ〜６７Ｄから給気ダクト７３，７４に空気が供給される。
【００６６】
なお、コントローラ６９のメモリには、第１〜第４モーターダンパ７６Ａ〜７６Ｄのダンパ識別コードおよび第１〜第８近接センサ６８Ａ〜６８Ｈのセンサ識別コードが記憶され、各ダンパ識別コードと各センサ識別コードとの対応関係が記憶されている。コントローラ６９は、ダンパ識別コードとセンサ識別コードとの対応関係によって、第１および第２センサ６８Ａ，６８Ｂからの各信号によって開閉する第１モーターダンパ７６Ａを特定し、第３および第４センサ６８Ｃ，６８Ｄからの各信号によって開閉する第２モーターダンパ７６Ｂを特定する。さらに、第５および第６センサ６８Ｅ，６８Ｆからの各信号によって開閉する第３モーターダンパ７６Ｃを特定し、第７および第８センサ６８Ｇ，６８Ｈからの各信号によって開閉する第４モーターダンパ７６Ｄを特定する。
【００６７】
図８に示すように、透視装置５９の走行器６３および天井走行アーム６４が手術室５１の前壁５４の側に位置し、透視装置５９による透視・血管撮影が行われる前であって、走行器６３および天井走行アーム６４が後壁５５に向かって移動を開始する前では、走行器６３の前端部が第１近接センサ６８Ａに近接せず、走行器６３が第１近接センサ６８Ａの検出範囲外にある。さらに、走行器６３が第２〜第８近接センサ６８Ｂ〜６８Ｈに近接せず、走行器６３が第２〜第８近接センサ６８Ｂ〜６８Ｈの検出範囲外にある。それら近接センサ６８Ａ〜６８Ｈは、離間信号をコントローラ６９に出力する。
【００６８】
コントローラ６９は、それら近接センサ６８Ａ〜６８Ｈからの離間信号によって走行器６３がそれら近接センサ６８Ａ〜６８Ｈの検出範囲外にあると認識する。コントローラ６９は、第１〜第４モーターダンパ７６Ａ〜７６Ｄの制御部に開信号を出力し、第１〜第８給気ユニット６５Ａ〜６５Ｈからの空気の給気を開始させる（給気第１開始手段、給気第１開始工程）。コントローラ６９から開信号を受信したそれらモーターダンパ７６Ａ〜７６Ｄの制御部は、空気流路が閉鎖されている場合、旋回羽根を旋回させ、空気流路を全開にして空気流路を開放し、または、空気流路がすでに開放されている場合、旋回羽根の全開を維持する。
【００６９】
第１および第２空調装置６７Ａ，６７Ｂから供給された温調空気は、第１給気ダクト７３と第１および第２モーターダンパ７６Ａ，７６Ｂとを通り、第５および第６給気ユニット６５Ｅ，６５Ｆと第１および第２給気ユニット６５Ａ，６５Ｂとに流入した後、それら給気ユニット６５Ａ，６５Ｂ，６５Ｅ，６５ＦのＨＥＰＡフィルタ２３Ａ，２３Ｂとスクリーンメッシュ２５Ａ，２５Ｂとを通過して微細な塵埃が除去される。さらに、空調装置６７Ａ，６７Ｂから供給された空気は、第１給気ダクト７３と第１風量調節ダンパ７７Ａとを通り、第１バイパスユニット６６Ａに流入した後、バイパスユニット６６ＡのＨＥＰＡフィルタ２３Ａ，２３Ｂとスクリーンメッシュ２５Ａ，２５Ｂとを通過して微細な塵埃が除去される。なお、ＬＥＤ照明２４Ａ，２４Ｂから光が照射され、スクリーンメッシュ２５Ａ，２５Ｂ全域から手術台５８およびその近傍に光が照射されている。
【００７０】
それら給気ユニット６５Ａ，６５Ｂ，６５Ｅ，６５Ｆによって塵埃が除去された清浄なかつ温調された空気は、図８に矢印Ｍ１で示すように、それら給気ユニット６５Ａ，６５Ｂ，６５Ｅ，６５Ｆの開口１８から手術室５１の床５３（手術室５１の天井５２から手術台５８全域およびその近傍）に向かって給気される。バイパスユニット６６Ａによって塵埃が除去された清浄な温調空気は、図８に矢印Ｍ２で示すように、それらバイパスユニット６５Ａの開口１８から手術室５１の床５３に向かって給気される。
【００７１】
第３および第４空調装置６７Ｃ，６７Ｄから供給された温調空気は、第２給気ダクト７４と第３および第４モーターダンパ７６Ｃ，７６Ｄとを通り、第７および第８給気ユニット６５Ｇ，６５Ｈと第３および第４給気ユニット６５Ｃ，６５Ｄとに流入した後、それら給気ユニット６５Ｃ，６５Ｄ，６５Ｇ，６５ＨのＨＥＰＡフィルタ２３Ａ，２３Ｂとスクリーンメッシュ２５Ａ，２５Ｂとを通過して微細な塵埃が除去される。さらに、空調装置６７Ｃ，６７Ｄから供給された空気は、第２給気ダクト７４と第２風量調節ダンパ７７Ｂとを通り、第２バイパスユニット６６Ｂに流入した後、バイパスユニット６６ＢのＨＥＰＡフィルタ２３Ａ，２３Ｂとスクリーンメッシュ２５Ａ，２５Ｂとを通過して微細な塵埃が除去される。
【００７２】
それら給気ユニット６５Ｃ，６５Ｄ，６５Ｇ，６５Ｈによって塵埃が除去された清浄な温調空気は、図８に矢印Ｍ１で示すように、それら給気ユニット６５Ｃ，６５Ｄ，６５Ｇ，６５Ｈの開口１８から手術室５１の床５３（手術室５１の天井５２から手術台５８全域およびその近傍）に向かって給気される。バイパスユニット６６Ｂによって塵埃が除去された清浄な空気は、図８に矢印Ｍ２で示すように、それらバイパスユニット６５Ｂの開口１８から手術室５１の床５３に向かって給気される。
【００７３】
透視装置５９による透視・血管撮影を行うため、図９に矢印Ｌ１で示すように、透視装置５９の走行器６３および天井走行アーム６４が走行レール６２Ａ，６２Ｂを前方へ移動すると、走行器６３の前端部が第１近接センサ６８Ａに近接し（走行器６３の一部が給気ユニット６５Ａ，６５Ｅの前端部に位置し）、走行器６３が第１近接センサ６８Ａの検出範囲内に入る。なお、図９では、走行器６３が第２〜第８近接センサ６８Ｂ〜６８Ｈに近接せず、走行器６３が第２〜第８近接センサ６８Ｂ〜６８Ｈの検出範囲外にある。
【００７４】
走行器６３が第１近接センサ６８Ａの検出範囲内に入ると、第１近接センサ６８Ａは、近接信号をコントローラ６９に出力する。近接センサ６８Ａから近接信号を受信したコントローラ６９は、走行器６３が第１近接センサ６８Ａの検出範囲内にあると認識する。コントローラ６９は、第１モーターダンパ７６Ａの制御部に閉信号を出力し、第１および第５給気ユニット６５Ａ，６５Ｅからの空気の給気を停止させる（給気第１停止手段、給気第１停止工程）。
【００７５】
コントローラ６９から閉信号を受信したモーターダンパ７６Ａの制御部は、旋回羽根を旋回させ、空気流路を全閉にして空気流路を閉鎖する。モーターダンパ７６Ａの空気流路が閉鎖されることで、第１および第５給気ユニット６５Ａ，６５Ｅにつながる給気ダクト７３が閉鎖され、給気ユニット６５Ａ，６５Ｅからの空気の給気が停止する。なお、給気ユニット６５Ａ，６５Ｅにおける空気の給気が停止した場合、給気ユニット６５Ａ，６５Ｅから給気されるべき空気がバイパスユニット６６Ａを通って手術室５１内に給気される（給気バイパス手段、給気バイパス工程）。
【００７６】
図９の状態から走行器６３および天井走行アーム６４が走行レール６２Ａ，６２Ｂをさらに前方へ移動すると、図１０に矢印Ｌ２で示すように、走行器６３が第１および第２近接センサ６８Ａ，６８Ｂの検出範囲内から検出範囲外へ移動し、走行器６３の前端部が第４近接センサ６８Ｄに近接するとともに、走行器６３の後端部が第３近接センサ６８Ｃに近接し（走行器６３が給気ユニット６５Ｂ，６５Ｆに位置し）、走行器６３が第３および第４近接センサ６８Ｃ，６８Ｄの検出範囲内に入る。なお、図１０では、走行器６３が第５〜第８近接センサ６８Ｅ〜６８Ｈに近接せず、走行器６３が第５〜第８近接センサ６８Ｅ〜６８Ｈの検出範囲外にある。
【００７７】
走行器６３が第１および第２近接センサ６８Ａ，６８Ｂの検出範囲外へ移動（走行器６３が第１および第５給気ユニット６５Ａ，６５Ｅから離間）すると、第１および第２近接センサ６８Ａ，６８Ｂは、離間信号をコントローラ６９に出力する。近接センサ６８Ａ，６８Ｂから離間信号を受信したコントローラ６９は、走行器６３が第１および第２近接センサ６８Ａ，６８Ｂの検出範囲外にあると認識する。コントローラ６９は、第１モーターダンパ７６Ａの制御部に開信号を出力し、第１および第５給気ユニット６５Ａ，６５Ｅからの空気の給気を開始させる（給気第１開始手段、給気第１開始工程）。
【００７８】
コントローラ６９から開信号を受信した第１モーターダンパ７６Ａの制御部は、旋回羽根を旋回させ、空気流路を全開にして空気流路を開放する。第１モーターダンパ７６Ａの空気流路が開放されることで、第１および第５給気ユニット６５Ａ，６５Ｅにつながる給気ダクト７３が開放され、それら給気ユニット６５Ａ，６５Ｅからの空気の給気が再開する。
【００７９】
走行器６３が第３および第４近接センサ６８Ｃ，６８Ｄの検出範囲内に入ると、第３および第４近接センサ６８Ｃ，６８Ｄは、近接信号をコントローラ６９に出力する。近接センサ６８Ｃ，６８Ｄから近接信号を受信したコントローラ６９は、走行器６３が第３および第４近接センサ６８Ｃ，６８Ｄの検出範囲内にあると認識する。コントローラ６９は、第２モーターダンパ７６Ｂの制御部に閉信号を出力し、第２および第６給気ユニット６５Ｂ，６５Ｆからの空気の給気を停止させる（給気第１停止手段、給気第１停止工程）。
【００８０】
コントローラ６９から閉信号を受信したモーターダンパ７６Ｂの制御部は、旋回羽根を旋回させ、空気流路を全閉にして空気流路を閉鎖する。モーターダンパ７６Ｂの空気流路が閉鎖されることで、第２および第６給気ユニット６５Ｂ，６５Ｆにつながる給気ダクト７３が閉鎖され、給気ユニット６５Ｂ，６５Ｆからの空気の給気が停止する。なお、給気ユニット６５Ｂ，６５Ｆにおける空気の給気が停止した場合、給気ユニット６５Ｂ，６５Ｆから給気されるべき空気がバイパスユニット６６Ａを通って手術室５１内に給気される（給気バイパス手段、給気バイパス工程）。
【００８１】
図１０の状態から走行器６３および天井走行アーム６４が走行レール６２Ａ，６２Ｂをさらに前方へ移動すると、図１１に矢印Ｌ３で示すように、走行器６３が第３および第４近接センサ６８Ｃ，６８Ｄの検出範囲内から検出範囲外へ移動し、走行器６３の前端部が第７近接センサ６８Ｇに近接するとともに、走行器６３の後端部が第６近接センサ６８Ｆに近接し（走行器６３の一部が給気ユニット６５Ｄ，６５Ｈの前端部に位置するとともに、走行器６３の一部が給気ユニット６５Ｃ，６５Ｇの前端部に位置し）、走行器６３が第６および第７近接センサ６８Ｆ，６８Ｇの検出範囲内に入る。なお、図１１では、走行器６３が第１〜第５近接センサ６８Ａ〜６８Ｅから離間し、走行器６３が第１〜第５近接センサ６８Ａ〜６８Ｅの検出範囲外にある。
【００８２】
走行器６３が第３および第４近接センサ６８Ｃ，６８Ｄの検出範囲外へ移動（走行器６３が第２および第６給気ユニット６５Ｂ，６５Ｆから離間）すると、第３および第４近接センサ６８Ｃ，６８Ｄは、離間信号をコントローラ６９に出力する。近接センサ６８Ｃ，６８Ｄから離間信号を受信したコントローラ６９は、走行器６３が第３および第４近接センサ６８Ｃ，６８Ｄの検出範囲外にあると認識する。コントローラ６９は、第２モーターダンパ７６Ｂの制御部に開信号を出力し、第２および第６給気ユニット６５Ｂ，６５Ｆからの空気の給気を開始させる（給気第１開始手段、給気第１開始工程）。
【００８３】
コントローラ６９から開信号を受信した第２モーターダンパ７６Ｂの制御部は、旋回羽根を旋回させ、空気流路を全開にして空気流路を開放する。第２モーターダンパ７６Ｂの空気流路が開放されることで、第２および第６給気ユニット６５Ｂ，６５Ｆにつながる給気ダクト７３が開放され、それら給気ユニット６５Ｂ，６５Ｆからの空気の給気が再開する。
【００８４】
走行器６３が第６および第７近接センサ６８Ｆ，６８Ｇの検出範囲内に入ると、第６および第７近接センサ６８Ｆ，６８Ｇは、近接信号をコントローラ６９に出力する。近接センサ６８Ｆ，６８Ｇから近接信号を受信したコントローラ６９は、走行器６３が第６および第７近接センサ６８Ｆ，６８Ｇの検出範囲内にあると認識する。コントローラ６９は、第３および第４モーターダンパ７６Ｃ，７６Ｄの制御部に閉信号を出力し、第３および第４給気ユニット６５Ｃ，６５Ｄと第７および第８給気ユニット６５Ｇ，６５Ｈとからの空気の給気を停止させる（給気第１停止手段、給気第１停止工程）。
【００８５】
コントローラ６９から閉信号を受信したモーターダンパ７６Ｃ，７６Ｄの制御部は、旋回羽根を旋回させ、空気流路を全閉にして空気流路を閉鎖する。モーターダンパ７６Ｃ，７６Ｄの空気流路が閉鎖されることで、第３および第４給気ユニット６５Ｃ，６５Ｄと第７および第８給気ユニット６５Ｇ，６５Ｈとにつながる給気ダクト７３が閉鎖され、それら給気ユニット６５Ｃ，６５Ｄ，６５Ｇ，６５Ｈからの空気の給気が停止する。なお、給気ユニット６５Ｃ，６５Ｄ，６５Ｇ，６５Ｈにおける空気の給気が停止した場合、給気ユニット６５Ｃ，６５Ｄ，６５Ｇ，６５Ｈから給気されるべき空気がバイパスユニット６６Ｂを通って手術室５１内に給気される（給気バイパス手段、給気バイパス工程）。
【００８６】
図１１の状態から走行器６３および天井走行アーム６４が走行レール６２Ａ，６２Ｂをさらに前方へ移動すると、図１２に矢印Ｌ４で示すように、走行器６３が第６および第７近接センサ６８Ｆ，６８Ｇの検出範囲内から検出範囲外へ移動するとともに、走行器６３が第８近接センサ６８Ｈの検出範囲内から検出範囲外へ移動する。
【００８７】
走行器６３が第６〜第８近接センサ６８Ｆ〜６８Ｈの検出範囲外へ移動（走行器６３が第３および第４給気ユニット６５Ｃ，６５Ｄと第７および第８給気ユニット６５Ｇ，６５Ｈとから離間）すると、第６〜第８近接センサ６８Ｆ〜６８Ｈは、離間信号をコントローラ６９に出力する。近接センサ６８Ｆ〜６８Ｈから離間信号を受信したコントローラ６９は、走行器６３が第６〜第８近接センサ６８Ｆ〜６８Ｈの検出範囲外にあると認識する。コントローラ６９は、第３および第４モーターダンパ７６Ｃ，７６Ｄの制御部に開信号を出力し、第３および第４給気ユニット６５Ｃ，６５Ｄと第７および第８給気ユニット６５Ｇ，６５Ｈとからの空気の給気を開始させる（給気第１開始手段、給気第１開始工程）。
【００８８】
コントローラ６９から開信号を受信した第３および第４モーターダンパ７６Ｃ，７６Ｄの制御部は、旋回羽根を旋回させ、空気流路を全開にして空気流路を開放する。第３および第４モーターダンパ７６Ｃ，７６Ｄの空気流路が開放されることで、第３および第４給気ユニット６５Ｃ，６５Ｄと第７および第８給気ユニット６５Ｇ，６５Ｈとにつながる給気ダクト７４が開放され、それら給気ユニット６５Ｃ，６５Ｄ，６５Ｇ，６５Ｈからの空気の給気が再開する。
【００８９】
空調システム５０Ａ（空調方法）は、第１〜第８近接センサ６８Ａ〜６８Ｈからの近接信号によって第１〜第８給気ユニット６５Ａ〜６５Ｈのうちの走行器６３が近接した給気ユニット６５Ａ〜６５Ｈからの空気の給気を停止することで、給気を停止した給気ユニット６５Ａ〜６５Ｈからの空気が走行器６３に衝突することはなく、空気が走行器６３に衝突することによる気流の乱れを防ぐことができ、手術室５１の天井５２から流速が略一定の規則的な流れの清浄かつ温調された空気を給気することができる。
【００９０】
空調システム５０Ａ（空調方法）は、手術室５１の天井５２に敷設された走行レール６２Ａ，６２Ｂを走行器６３が往復移動しているときに、その走行器６３が離間した給気ユニット６５Ａ〜６５Ｈのすべてから空気が給気されるから、走行器６３の移動経路の直下に清浄かつ温調された空気を給気することができ、手術台５８およびその近傍全域に清浄な温調空気を継続して給気することができる。
【００９１】
空調システム５０Ａ（空調方法）は、走行器６３が近接した給気ユニット６５Ａ〜６５Ｈからの空気の給気を停止するが、その給気ユニット６５Ａ〜６５Ｈから給気されるべき空気がバイパスユニット６６Ａ，６６Ｂを通って手術室５１に給気されるから、給気中における手術室５１全体の総空調空気循環量が増減することはなく、手術室５１の天井５２から流速が略一定の規則的な流れの空気を給気することができ、温調された空気の高い清浄度を保持することが可能な垂直層流型空調を実現することができる。
【００９２】
図１３，１４は、他の一例として示す空調システム５０Ｂ（空調方法）の構成図である。図１３では、手術室５１（ハイブリッド手術室）を上方（天井５２の側）から示し、図１４は、手術室５１を前方（前壁５４の側）から示す。図１３，１４では、手術台５８や透視装置５９（Ｘ線アンギオグラフィー）、無影灯６０（図１４に図示）、照明器具６１を点線で示す。図１４では、第２バイパスユニット６６Ｂの図示を省略している。図１３，１４では、前後方向（長さ方向）を矢印Ａ（図１３のみ）、横方向（幅方向）を矢印Ｂで示し、上下方向を矢印Ｃ（図１４のみ）で示す。
【００９３】
空調システム５０Ｂ（空調方法）は、第１〜第８給気ユニット６５Ａ〜６５Ｈ（第１〜第ｎ給気ユニット）と、第１〜第２バイパスユニット６６Ａ，６６Ｂ（第１〜第ｎ給気バイパスユニット）と、第１〜第４空調装置６７Ａ〜６７Ｄ（第１〜第ｎ空調装置）と、第１〜第８近接センサ６８Ａ〜６８Ｈ（第１〜第ｎ近接センサ）と、コントローラ６９（制御装置）とから形成されている。第１〜第８給気ユニット６５Ａ〜６５Ｈや第１〜第２バイパスユニット６６Ａ，６６Ｂには、図１〜図３に示す給気ユニット１０が使用されている。
【００９４】
なお、図１３，１４に示すシステム５０Ｂが図６，７に示すそれと異なるところは、第１バイパスユニット６６Ａにつながる第１給気ダクト７３に、風量調節ダンパ（ＶＤ）ではなく第５モーターダンパ７８Ａ（ＭＤ）が設置され、第２バイパスユニット６６Ｂにつながる第２給気ダクト７４に、風量調節ダンパではなく第６モーターダンパ７８Ｂが設置されている点にある。図１３，１４の空調システム５０Ｂを構成するその他の機器は図６，７の空調システム５０Ａのそれらと同一であるから、図６，７と同一の符号を付すとともに、図６，７の説明を援用することで、それらの説明は省略する。
【００９５】
第１バイパスユニット６６Ａにつながる第１給気ダクト７３には、第５モーターダンパ７８Ａが設置され、モーターダンパ７８Ａの旋回羽根の旋回による空気流路の開閉によってユニット６６Ａにつながる給気ダクト７３が開閉される。モーターダンパ７８Ａの旋回羽根が全開となって給気ダクト７３が開放されると、空気が給気ダクト７３からバイパスユニット６６Ａに流入し、バイパスユニット６６Ａから清浄な空気が手術室５１の天井５２から床５３に向かって給気される。モーターダンパ７８Ａの旋回羽根が全閉となって給気ダクト７３が閉鎖されると、空気のバイパスユニット６６Ａへの流入が遮断される。
【００９６】
第２バイパスユニット６６Ｂにつながる第２給気ダクト７４には、第６モーターダンパ７８Ｂが設置され、モーターダンパ７８Ｂの旋回羽根の旋回による空気流路の開閉によってユニット６６Ｂにつながる給気ダクト７４が開閉される。モーターダンパ７８Ｂの旋回羽根が全開となって給気ダクト７４が開放されると、空気が給気ダクト７４からバイパスユニット６６Ｂに流入し、バイパスユニット６６Ｂから清浄な空気が手術室５１の天井５２から床５３に向かって給気される。モーターダンパ７８Ｂの旋回羽根が全閉となって給気ダクト７４が閉鎖されると、空気のバイパスユニット６６Ｂへの流入が遮断される。
【００９７】
図１５は、空調システム５０Ｂ（空調方法）における空気の給気開始と給気停止との制御を説明する図であり、図１６は、図１５から続く空気の給気開始と給気停止との制御を説明する図である。図１７は、図１６から続く空気の給気開始と給気停止との制御を説明する図であり、図１８は、図１７から続く空気の給気開始と給気停止との制御を説明する図である。図１９は、図１８から続く空気の給気開始と給気停止との制御を説明する図である。図１５〜図１９では、手術台５８や無影灯６０、照明器具６１、コントローラ６９の図示を省略し、透視装置５９や走行レール６２Ａを点線で示す。
【００９８】
図１３，１４のシステム５０Ｂを設置した手術室５１において可視化手術（ハイブリッド手術）が行われる場合、透視装置５９の走行器６３および天井走行アーム６４が走行レール６２Ａ，６２Ｂに沿って前後方向へ移動し、患者の透視や血管撮影が行われる。手術室５１においてシステム５０ＢをＯＮにすると、第１〜第４空調装置６７Ａ〜６７Ｄや第１〜第８近接センサ６８Ａ〜６８Ｈ、第１〜第４モーターダンパ７６Ａ〜７６Ｄ、第５および第６モーターダンパ７８Ａ，７８Ｂ、コントローラ６９が起動し、空調装置６７Ａ〜６７Ｄから給気ダクト７３，７４に空気が供給される。
【００９９】
コントローラ６９のメモリには、第１〜第４モーターダンパ７６Ａ〜７６Ｄのダンパ識別コード、第５および第６モーターダンパ７８Ａ，７８Ｂのダンパ識別コード、第１〜第８近接センサ６８Ａ〜６８Ｈのセンサ識別コードが記憶され、各ダンパ識別コードとセンサ識別コードとの対応関係が記憶されている。
【０１００】
コントローラ６９は、各ダンパ識別コードとセンサ識別コードとの対応関係によって、第１および第２センサ６８Ａ，６８Ｂからの各信号によって開閉する第１モーターダンパ７６Ａを特定し、第３および第４センサ６８Ｃ，６８Ｄからの各信号によって開閉する第２モーターダンパ７６Ｂを特定する。さらに、第５および第６センサ６８Ｅ，６８Ｆからの各信号によって開閉する第３モーターダンパ７６Ｃを特定し、第７および第８センサ６８Ｇ，６８Ｈからの各信号によって開閉する第４モーターダンパ７６Ｄを特定する。コントローラ６９は、第１〜第４センサ６８Ａ〜６８Ｄからの各信号によって開閉する第５モーターダンパ７８Ａを特定し、第５〜第８センサ６８Ｅ〜６８Ｈからの各信号によって開閉する第６モーターダンパ７８Ｂを特定する。
【０１０１】
図１５に示すように、透視装置５９の走行器６３および天井走行アーム６４が手術室５１の前壁５４の側に位置し、透視装置５９による透視・血管撮影が行われる前であって、走行器６３および天井走行アーム６４が後壁５５に向かって移動を開始する前では、走行器６３の前端部が第１近接センサ６８Ａに近接せず、走行器６３が第１近接センサ６８Ａの検出範囲外にある。さらに、走行器６３が第２〜第８近接センサ６８Ｂ〜６８Ｈに近接せず、走行器６３が第２〜第８近接センサ６８Ｂ〜６８Ｈの検出範囲外にある。それら近接センサ６８Ａ〜６８Ｈは、離間信号をコントローラ６９に出力する。
【０１０２】
コントローラ６９は、それら近接センサ６８Ａ〜６８Ｈからの離間信号によって走行器６３がそれら近接センサ６８Ａ〜６８Ｈの検出範囲外にあると認識する。コントローラ６９は、第１〜第４モーターダンパ７６Ａ〜７６Ｄの制御部に開信号を出力し、第１〜第８給気ユニット６５Ａ〜６５Ｈからの空気の給気を開始させるとともに（給気第１開始手段、給気第１開始工程）、第５および第６モーターダンパ７８Ａ，７８Ｂの制御部に閉信号を出力し、第１および第２バイパスユニット６６Ａ，６６Ｂからの空気の給気を停止させる（給気第２停止手段、給気第２停止工程）。
【０１０３】
コントローラ６９から開信号を受信したそれらモーターダンパ７６Ａ〜７６Ｄの制御部は、空気流路が閉鎖されている場合、旋回羽根を旋回させ、空気流路を全開にして空気流路を開放し、または、空気流路がすでに開放されている場合、旋回羽根の全開を維持する。コントローラ６９から閉信号を受信したそれらモーターダンパ７８Ａ，７８Ｂの制御部は、空気流路が開放されている場合、旋回羽根を旋回させ、空気流路を全閉にして空気流路を閉鎖し、または、空気流路がすでに閉鎖されている場合、旋回羽根の全閉を維持する。
【０１０４】
第１および第２空調装置６７Ａ，６７Ｂから供給された空気は、第１給気ダクト７３と第１および第２モーターダンパ７６Ａ，７６Ｂとを通り、第５および第６給気ユニット６５Ｅ，６５Ｆと第１および第２給気ユニット６５Ａ，６５Ｂとに流入した後、それら給気ユニット６５Ａ，６５Ｂ，６５Ｅ，６５Ｆのスクリーンメッシュ２５Ａ，２５Ｂを通過して微細な塵埃が除去される。なお、モーターダンパ７８Ａの旋回羽根が全閉となって第１バイパスユニット６６Ａにつながる給気ダクト７３が閉鎖され、空気のバイパスユニット６６Ａへの流入が遮断されている。
【０１０５】
それら給気ユニット６５Ａ，６５Ｂ，６５Ｅ，６５Ｆによって塵埃が除去された清浄な空気は、図８に矢印Ｍ１で示すように、それら給気ユニット６５Ａ，６５Ｂ，６５Ｅ，６５Ｆの開口１８から手術室５１の床５３（手術室５１の天井５２から手術台５８全域およびその近傍）に向かって給気される。
【０１０６】
第３および第４空調装置６７Ｃ，６７Ｄから供給された空気は、第２給気ダクト７４と第３および第４モーターダンパ７６Ｃ，７６Ｄとを通り、第７および第８給気ユニット６５Ｇ，６５Ｈと第３および第４給気ユニット６５Ｃ，６５Ｄとに流入した後、それら給気ユニット６５Ｃ，６５Ｄ，６５Ｇ，６５Ｈのスクリーンメッシュ２５Ａ，２５Ｂを通過して微細な塵埃が除去される。なお、モーターダンパ７８Ｂの旋回羽根が全閉となって第２バイパスユニット６６Ｂにつながる給気ダクト７４が閉鎖され、空気のバイパスユニット６６Ｂへの流入が遮断されている。
【０１０７】
それら給気ユニット６５Ｃ，６５Ｄ，６５Ｇ，６５Ｈによって塵埃が除去された清浄な空気は、図８に矢印Ｍ１で示すように、それら給気ユニット６５Ｃ，６５Ｄ，６５Ｇ，６５Ｈの開口１８から手術室５１の床５３（手術室５１の天井５２から手術台５８全域およびその近傍）に向かって給気される。なお、ＬＥＤ照明２４Ａ，２４Ｂから光が照射され、スクリーンメッシュ２５Ａ，２５Ｂ全域から手術台５８およびその近傍に光が照射されている。
【０１０８】
透視装置５９による透視・血管撮影を行うため、図１６に矢印Ｌ１で示すように、透視装置５９の走行器６３および天井走行アーム６４が走行レール６２Ａ，６２Ｂを前方へ移動すると、走行器６３の前端部が第１近接センサ６８Ａに近接し（走行器６３の一部が給気ユニット６５Ａ，６５Ｅの前端部に位置し）、走行器６３が第１近接センサ６８Ａの検出範囲内に入る。なお、図１６では、走行器６３が第２〜第８近接センサ６８Ｂ〜６８Ｈに近接せず、走行器６３が第２〜第８近接センサ６８Ｂ〜６８Ｈの検出範囲外にある。
【０１０９】
走行器６３が第１近接センサ６８Ａの検出範囲内に入ると、第１近接センサ６８Ａは、近接信号をコントローラ６９に出力する。近接センサ６８Ａから近接信号を受信したコントローラ６９は、走行器６３が第１近接センサ６８Ａの検出範囲内にあると認識する。コントローラ６９は、第１モーターダンパ７６Ａの制御部に閉信号を出力し、第１および第５給気ユニット６５Ａ，６５Ｅからの空気の給気を停止させるとともに（給気第１停止手段、給気第１停止工程）、第５モーターダンパ７８Ａの制御部に開信号を出力し、第１バイパスユニット６６Ａからの空気の給気を開始させる（給気第２開始止手段、給気第２開始止工程）。
【０１１０】
コントローラ６９から閉信号を受信したモーターダンパ７６Ａの制御部は、旋回羽根を旋回させ、空気流路を全閉にして空気流路を閉鎖する。モーターダンパ７６Ａの空気流路が閉鎖されることで、第１および第５給気ユニット６５Ａ，６５Ｅにつながる給気ダクト７３が閉鎖され、給気ユニット６５Ａ，６５Ｅからの空気の給気が停止する。コントローラ６９から開信号を受信したモーターダンパ７８Ａの制御部は、旋回羽根を旋回させ、空気流路を全開にして空気流路を開放する。モーターダンパ７８Ａの空気流路が開放されることで、給気ユニット６５Ａ，６５Ｅから給気されるべき空気がバイパスユニット６６Ａを通って手術室５１内に給気される（給気バイパス手段、給気バイパス工程）。
【０１１１】
図１６の状態から走行器６３および天井走行アーム６４が走行レール６２Ａ，６２Ｂをさらに前方へ移動すると、図１７に矢印Ｌ２で示すように、走行器６３が第１および第２近接センサ６８Ａ，６８Ｂの検出範囲内から検出範囲外へ移動し、走行器６３の前端部が第４近接センサ６８Ｄに近接するとともに、走行器６３の後端部が第３近接センサ６８Ｃに近接し（走行器６３が給気ユニット６５Ｂ，６５Ｆに位置し）、走行器６３が第３および第４近接センサ６８Ｃ，６８Ｄの検出範囲内に入る。なお、図１７では、走行器６３が第５〜第８近接センサ６８Ｅ〜６８Ｈに近接せず、走行器６３が第５〜第８近接センサ６８Ｅ〜６８Ｈの検出範囲外にある。
【０１１２】
走行器６３が第１および第２近接センサ６８Ａ，６８Ｂの検出範囲外へ移動（走行器６３が第１および第５給気ユニット６５Ａ，６５Ｅから離間）すると、第１および第２近接センサ６８Ａ，６８Ｂは、離間信号をコントローラ６９に出力する。近接センサ６８Ａ，６８Ｂから離間信号を受信したコントローラ６９は、走行器６３が第１および第２近接センサ６８Ａ，６８Ｂの検出範囲外にあると認識する。コントローラ６９は、第１モーターダンパ７６Ａの制御部に開信号を出力し、第１および第５給気ユニット６５Ａ，６５Ｅからの空気の給気を開始させる（給気第１開始手段、給気第１開始工程）。コントローラ６９から開信号を受信した第１モーターダンパ７６Ａの制御部は、旋回羽根を旋回させ、空気流路を全開にして空気流路を開放する。
【０１１３】
走行器６３が第３および第４近接センサ６８Ｃ，６８Ｄの検出範囲内に入ると、第３および第４近接センサ６８Ｃ，６８Ｄは、近接信号をコントローラ６９に出力する。近接センサ６８Ｃ，６８Ｄから近接信号を受信したコントローラ６９は、走行器６３が第３および第４近接センサ６８Ｃ，６８Ｄの検出範囲内にあると認識する。コントローラ６９は、第２モーターダンパ７６Ｂの制御部に閉信号を出力し、第２および第６給気ユニット６５Ｂ，６５Ｆからの空気の給気を停止させる（給気第１停止手段、給気第１停止工程）。コントローラ６９から閉信号を受信したモーターダンパ７６Ｂの制御部は、旋回羽根を旋回させ、空気流路を全閉にして空気流路を閉鎖する。
【０１１４】
なお、第５モーターダンパ７８Ａの制御部にはコントローラ６９から開信号が出力されており、モーターダンパ７８Ａの空気流路の全開状態が維持される。モーターダンパ７８Ａの空気流路の開放状態が維持されることで、給気ユニット６５Ｂ，６５Ｆから給気されるべき空気がバイパスユニット６６Ａを通って手術室５１内に給気される（給気バイパス手段、給気バイパス工程）。
【０１１５】
図１７の状態から走行器６３および天井走行アーム６４が走行レール６２Ａ，６２Ｂをさらに前方へ移動すると、図１８に矢印Ｌ３で示すように、走行器６３が第３および第４近接センサ６８Ｃ，６８Ｄの検出範囲内から検出範囲外へ移動し、走行器６３の前端部が第７近接センサ６８Ｇに近接するとともに、走行器６３の後端部が第６近接センサ６８Ｆに近接し（走行器６３の一部が給気ユニット６５Ｄ，６５Ｈの前端部に位置するとともに、走行器６３の一部が給気ユニット６５Ｃ，６５Ｇの前端部に位置し）、走行器６３が第６および第７近接センサ６８Ｆ，６８Ｇの検出範囲内に入る。なお、図１８では、走行器６３が第１〜第５近接センサ６８Ａ〜６８Ｅから離間し、走行器６３が第１〜第５近接センサ６８Ａ〜６８Ｅの検出範囲外にある。
【０１１６】
走行器６３が第３および第４近接センサ６８Ｃ，６８Ｄの検出範囲外へ移動（走行器６３が第２および第６給気ユニット６５Ｂ，６５Ｆから離間）すると、第３および第４近接センサ６８Ｃ，６８Ｄは、離間信号をコントローラ６９に出力する。近接センサ６８Ｃ，６８Ｄから離間信号を受信したコントローラ６９は、走行器６３が第３および第４近接センサ６８Ｃ，６８Ｄの検出範囲外にあると認識する。
【０１１７】
コントローラ６９は、第２モーターダンパ７６Ｂの制御部に開信号を出力し、第２および第６給気ユニット６５Ｂ，６５Ｆからの空気の給気を開始させるとともに（給気第１開始手段、給気第１開始工程）、第５モーターダンパ７８Ａの制御部に閉信号を出力し、第１バイパスユニット６６Ａからの空気の給気を停止させる（給気第２停止手段、給気第２停止工程）。コントローラ６９から開信号を受信した第２モーターダンパ７６Ｂの制御部は、旋回羽根を旋回させ、空気流路を全開にして空気流路を開放する。コントローラ６９から閉信号を受信した第５モーターダンパ７８Ａの制御部は、旋回羽根を旋回させ、空気流路を全閉にして空気流路を閉鎖する。モーターダンパ７８Ａの旋回羽根が全閉となって第１バイパスユニット６６Ａにつながる給気ダクト７３が閉鎖され、空気のバイパスユニット６６Ａへの流入が遮断される。
【０１１８】
走行器６３が第６および第７近接センサ６８Ｆ，６８Ｇの検出範囲内に入ると、第６および第７近接センサ６８Ｆ，６８Ｇは、近接信号をコントローラ６９に出力する。近接センサ６８Ｆ，６８Ｇから近接信号を受信したコントローラ６９は、走行器６３が第６および第７近接センサ６８Ｆ，６８Ｇの検出範囲内にあると認識する。
【０１１９】
コントローラ６９は、第３および第４モーターダンパ７６Ｃ，７６Ｄの制御部に閉信号を出力し、第３および第４給気ユニット６５Ｃ，６５Ｄと第７および第８給気ユニット６５Ｇ，６５Ｈとからの空気の給気を停止させるとともに（給気第１停止手段、給気第１停止工程）、第６モーターダンパ７８Ｂの制御部に開信号を出力し、第２バイパスユニット６６Ｂからの空気の給気を開始させる（給気第２開始止手段、給気第２開始工程）。
【０１２０】
コントローラ６９から閉信号を受信した第３および第４モーターダンパ７６Ｃ，７６Ｄの制御部は、旋回羽根を旋回させ、空気流路を全閉にして空気流路を閉鎖する。モーターダンパ７６Ｃ，７６Ｄの空気流路が閉鎖されることで、第３および第７給気ユニット６５Ｃ，６５Ｇと第４および第８給気ユニット６５Ｄ，６５Ｈとにつながる給気ダクト７４が閉鎖され、それら給気ユニット６５Ｃ，６５Ｇ，６５Ｄ，６５Ｈからの空気の給気が停止する。
【０１２１】
コントローラ６９から開信号を受信した第６モーターダンパ７８Ｂの制御部は、旋回羽根を旋回させ、空気流路を全開にして空気流路を開放する。モーターダンパ７８Ａの空気流路が開放されることで、給気ユニット６５Ｃ，６５Ｇ，６５Ｄ，６５Ｈから給気されるべき空気がバイパスユニット６６Ｂを通って手術室５１内に給気される（給気バイパス手段、給気バイパス工程）。
【０１２２】
図１８の状態から走行器６３および天井走行アーム６４が走行レール６２Ａ，６２Ｂをさらに前方へ移動すると、図１９に矢印Ｌ４で示すように、走行器６３が第６および第７近接センサ６８Ｆ，６８Ｇの検出範囲内から検出範囲外へ移動するとともに、走行器６３が第８近接センサ６８Ｈの検出範囲内から検出範囲外へ移動する。
【０１２３】
走行器６３が第６〜第８近接センサ６８Ｆ〜６８Ｈの検出範囲外へ移動（走行器６３が第３および第４給気ユニット６５Ｃ，６５Ｄと第７および第８給気ユニット６５Ｇ，６５Ｈとから離間）すると、第６〜第８近接センサ６８Ｆ〜６８Ｈは、離間信号をコントローラ６９に出力する。近接センサ６８Ｆ〜６８Ｈから離間信号を受信したコントローラ６９は、走行器６３が第６〜第８近接センサ６８Ｆ〜６８Ｈの検出範囲外にあると認識する。コントローラ６９は、第３および第４モーターダンパ７６Ｃ，７６Ｄの制御部に開信号を出力し、第３および第４給気ユニット６５Ｃ，６５Ｄと第７および第８給気ユニット６５Ｇ，６５Ｈとからの空気の給気を開始させるとともに（給気第１開始手段、給気第１開始工程）、第６モーターダンパ７８Ｂの制御部に閉信号を出力し、第２バイパスユニット６６Ｂからの空気の給気を停止させる（給気第２停止手段、給気第２停止工程）。
【０１２４】
コントローラ６９から開信号を受信した第３および第４モーターダンパ７６Ｃ，７６Ｄの制御部は、旋回羽根を旋回させ、空気流路を全開にして空気流路を開放する。コントローラ６９から閉信号を受信したモーターダンパ７８Ｂの制御部は、旋回羽根を旋回させ、空気流路を全閉にして空気流路を閉鎖する。
【０１２５】
空調システム５０Ｂ（空調方法）は、第１〜第８近接センサ６８Ａ〜６８Ｈからの近接信号によって第１〜第８給気ユニット６５Ａ〜６５Ｈのうちの走行器６３が近接した給気ユニット６５Ａ〜６５Ｈからの空気の給気を停止することで、給気を停止した給気ユニット６５Ａ〜６５Ｈからの空気が走行器６３に衝突することはなく、空気が走行器６３に衝突することによる気流の乱れを防ぐことができ、手術室５１の天井５２から流速が略一定の規則的な流れの清浄なかつ温調された空気を給気することができる。
【０１２６】
空調システム５０Ｂ（空調方法）は、手術室５１の天井５２に敷設された走行レール６２Ａ，６２Ｂを走行器６３が往復移動しているときに、その走行器６３が離間した給気ユニット６５Ａ〜６５Ｈのすべてから空気が給気されるから、走行器６３の移動経路の直下に清浄かつ温調された空気を給気することができ、手術台５８およびその近傍全域に清浄な温調空気を継続して給気することができる。
【０１２７】
空調システム５０Ｂ（空調方法）は、それら第１〜第８給気ユニット６５Ａ〜６５Ｈのうちの少なくとも１台の給気ユニット６５Ａ〜６５Ｈからの空気の給気を停止させた場合、その給気ユニット６５Ａ〜６５Ｈから給気される空気が第１および第２バイパスユニット６６Ａ，６６Ｂを通って手術室５１に給気されるから、手術室５１における空調空気量の増加を防ぐことができる。空調システム５０Ｂ（空調方法）は、第１〜第８給気ユニット６５Ａ〜６５Ｈのすべてからの空気の給気が開始された場合、第１および第２バイパスユニット６６Ａ，６６Ｂからの空気の給気を停止させるから、手術室５１における空調空気量の減少を防ぐことができる。空調システム５０Ｂ（空調方法）は、給気中における手術室５１全体の総空調空気循環量が増減することはなく、手術室５１の天井５２から流速が略一定の規則的な流れの空気を給気することができ、温調された空気の高い清浄度を保持することが可能な垂直層流型空調を確実に実現することができる。
【符号の説明】
【０１２８】
１０    給気ユニット
１０    バイパスユニット
１１    頂板
１２    前側板
１３    後側板
１４    右側板
１５    左側板
１７    スペース
１８    開口
２０    ダクト接続部
２１    チャンバー
２２    消音ディフューザー
２３Ａ，Ｂ  ＨＥＰＡフィルタ
２４Ａ，Ｂ  ＬＥＤ照明
２５Ａ，Ｂ  スクリーンメッシュ
２８    網目
２９    第１スクリーンメッシュ
３０    網目
３１    第２スクリーンメッシュ
３２    チャンバーの側面開口
５０Ａ  空調システム（空調方法）
５０Ｂ  空調システム（空調方法）
５１    手術室
５２    天井
５３    床
５４    前壁
５５    後壁
５６    側壁
５７    側壁
５８    手術台
５９    透視装置
６２Ａ，Ｂ  走行レール
６３    走行器
６４    天井走行アーム
６５Ａ〜Ｈ  第１〜第８給気ユニット
６６Ａ，Ｂ  第１および第２バイパスユニット
６７Ａ〜Ｄ  第１〜第４空調装置
６８Ａ〜Ｈ  第１〜第８近接センサ
６９    コントローラ
７２    取入口
７３    第１給気ダクト
７４    第２給気ダクト
７６Ａ〜７６Ｄ  第１〜第４モーターダンパ
７７Ａ，Ｂ  第１および第２風量調節ダンパ
７８Ａ，Ｂ  第５および第６モーターダンパ
【図１】
2018057929.tif 000003
【図２】
2018057929.tif 000004
【図３】
2018057929.tif 000005
【図４】
2018057929.tif 000006
【図５】
2018057929.tif 000007
【図６】
2018057929.tif 000008
【図７】
2018057929.tif 000009
【図８】
2018057929.tif 000010
【図９】
2018057929.tif 000011
【図１０】
2018057929.tif 000012
【図１１】
2018057929.tif 000013
【図１２】
2018057929.tif 000014
【図１３】
2018057929.tif 000015
【図１４】
2018057929.tif 000016
【図１５】
2018057929.tif 000017
【図１６】
2018057929.tif 000018
【図１７】
2018057929.tif 000019
【図１８】
2018057929.tif 000020
【図１９】
2018057929.tif 000021